(57)【要約】      （修正有）【課題】測定部に時計を備えることなく、測定日時情報を取得することが可能な測定機器を提供する。【解決手段】健康情報管理システム１は、血圧計１０と、測定日時算出部を含むスマートフォン２０を含んでおり、血圧計１０とスマートフォン２０とは近距離無線通信によって通信可能な構成となっている。制御部１５０は、入力部１４０を介してユーザーからの計測開始の指示を受け付けるとカフを加圧し、適切なカフ圧下で、センサ部１１０が検出した脈波に基づいて血圧情報を算出する。【選択図】図１
2020165697.tif 000002
【特許請求の範囲】
【請求項１】
カウント値として所定タイミングからの経過時間を計測する計時部と、測定によって取得された測定情報、該測定情報が取得された順に該測定情報に一意に付された識別情報及び測定時の前記カウント値とを含む第１測定結果を複数蓄積する第１測定結果蓄積部と、該第１測定結果蓄積部に蓄積された該第１測定結果を送信する送信部とを有する測定部と、
前記測定部から前記第１測定結果を受信する受信部と、
前記測定部から受信した該第１測定結果に含まれる前記測定情報及び測定時の日時情報を少なくとも含む第２測定結果を蓄積する第２測定結果蓄積部と、
前記第１測定結果について、前記測定部との通信が確立した時点である基準日時から、該基準日時における前記カウント値と測定時の前記カウント値との差分を減算することにより前記測定情報が取得された測定日時を算出する測定日時算出部と、
を備えたことを特徴とする測定機器。
【請求項２】
前記測定部が前記差分を算出して、前記測定日時算出部に送信することを特徴とする請求項１に記載の測定機器。
【請求項３】
前記測定部から送信される前記基準日時におけるカウント値及び測定時の前記カウント値に基づいて、前記測定日時算出部において前記差分を算出することを特徴とする請求項１に記載の測定機器。
【請求項４】
前記測定部は、該測定部における電源の喪失及び回復に関する電源回復情報を記憶し、
前記測定日時算出部は、前記測定部から受信した前記電源回復情報に基づき、前記第１測定結果に含まれる前記測定情報が前記電源の喪失及び回復の前に取得されたか否かを判断し、該測定情報が前記電源の喪失及び回復の前に取得されたものである場合は、前記第２測定結果蓄積部に蓄積され、前記測定日時が算出された前記第２測定結果のうち最後に蓄積された前記第２測定結果に含まれる前記測定日時に、該最後に蓄積された第２測定結果に対応する前記測定時の前記カウント値と前記第１測定結果に対応する前記測定時の前記カウント値との差分を加算することにより該第１測定結果に対応する前記測定情報の測定日時を算出することを特徴とする請求項２又は３に記載の測定機器。
【請求項５】
前記測定部は、前記電源喪失の後の最初の電源回復時に、前記第１測定結果蓄積部に蓄積されている全ての第１測定結果について電源回復情報として電源回復フラグを付与し、
前記測定日時算出部は、前記電源回復フラグが付与されている第１測定結果について、該第１測定結果に含まれる前記測定情報が前記電源喪失の前に取得されたものであると判断することを特徴とする請求項４に記載の測定機器。
【請求項６】
前記測定部は、前記電源喪失の後の最初の電源回復時に、前記第１測定結果蓄積部に蓄積されている前記第１測定結果のうち最新の前記第１測定結果について前記電源回復情報である電源回復フラグを付与し、
前記測定部は、前記第１測定結果蓄積部に蓄積されている前記第１測定結果を、最新のものから順に送信し、
前記測定日時算出部は、前記電源回復フラグが付与されている前記第１測定結果及びその後に受信した前記第１測定結果について、該第１測定結果に含まれる前記測定情報が前記電源喪失の前に取得されたものであると判断することを特徴とする請求項４に記載の測定機器。
【請求項７】
前記測定部は、前記電源喪失の後の最初の電源回復時に、前記第１測定結果蓄積部に蓄積されている前記第１測定結果のうち最新の前記第１測定結果に含まれる前記識別情報を
基準識別情報として記憶し、前記第１測定結果の送信時に各測定情報に付された前記識別情報と前記基準識別情報を比較して該測定結果に付された前記識別情報が前記基準識別情報よりも前の時点で取得されたものであることを示す場合に、該測定情報に前記電源回復情報として電源回復フラグを付して送信し、
前記測定日時算出部は、前記電源回復フラグが付与されている測定結果について、受信した前記測定情報が前記電源喪失の前に取得されたものであると判断することを特徴とする請求項４に記載の測定機器。
【請求項８】
前記測定部は、前記電源喪失の後の最初の電源回復時に、前記第１測定結果蓄積部に蓄積されている前記第１測定結果のうち最新の前記第１測定結果に含まれる前記測定情報に含まれる前記識別情報を基準識別情報として記憶し、前記第１測定結果蓄積部に蓄積された前記第１測定結果のうち最新の前記第１測定結果から前記識別情報の降順に該第１測定結果を送信する際に、該送信されるべき第１測定結果に含まれる前記識別情報と前記基準識別情報を比較し、該送信されるべき第１測定結果に含まれる前記識別情報が前記基準識別情報と同一である場合に、該送信されるべき第１測定結果に前記電源回復情報である電源回復フラグを付して送信し、
前記測定日時算出部は、前記電源回復フラグが付与されている前記第１測定結果及びその後に受信した前記第１測定結果に含まれる前記測定情報は前記電源喪失の前に取得されたものであると判断することを特徴とする請求項４に記載の測定機器。
【請求項９】
前記測定部は、前記電源喪失の後の最初の電源回復時に、前記第１測定結果蓄積部に蓄積されている前記第１測定結果のうち最新の前記第１測定結果の前記識別情報を前記電源回復情報である基準識別情報として記憶し、前記第１測定結果の送信時に該基準識別情報を送信し、
前記測定日時算出部は、受信した前記第１測定結果の前記識別情報と前記基準識別情報を比較し、前記識別情報が前記基準識別情報よりも前の時点で取得されたものあることを示す場合に、該第１測定結果に含まれる前記測定情報は前記電源喪失の前に取得されたものであると判断することを特徴とする請求項４に記載の測定機器。
【請求項１０】
前記測定部又は前記測定日時算出部が、前記第２測定結果蓄積部に最後に蓄積された前記第２測定結果に対応する前記測定時の前記カウント値が前記第１測定結果蓄積部に蓄積されていない場合、又は、前記第１測定結果に対応する前記測定時の前記カウント値が、該第１測定結果の一つ前の測定時の前記カウント値より前を示す場合に、前記差分を無効とするとともに、
前記測定日時算出部は、前記差分が無効となった前記第１測定結果以後に測定された前記第１測定結果であって、前記電源喪失の前に取得された第１測定結果について前記測定日時を無効として前記第２測定結果蓄積部に蓄積することを特徴とする請求項４に記載の測定機器。
【請求項１１】
前記測定情報を時系列で表示するための表示データ生成部を備え、
前記表示データ生成部は、前記測定日時が無効である前記第２測定結果について、連続する前記識別情報が付された該第２測定結果の前記測定情報を、該連続する識別情報が付された前記測定情報の間で、測定時の前記カウント値の差分に応じて時系列に配置した仮のグラフを生成し、該仮のグラフの時間方向の中央が、前記測定日時が無効である前記第２測定結果の前後で直近の無効ではない前記測定日時の時間方向の中央に一致するように配置することを特徴とする請求項１０に記載の測定機器。
【請求項１２】
前記測定部は、該測定部における電源喪失及び回復の履歴に関する電源回復履歴情報を記憶し、
前記第１測定結果蓄積部は、前記測定時の前記電源回復履歴情報を含む前記第１測定結
果を蓄積し、
前記第２測定結果蓄積部は、前記測定部から受信した前記電源回復履歴情報を含む前記第１測定結果を蓄積し、
前記測定日時算出部は、前記測定部から受信した前記第１測定結果に含まれる前記測定情報が取得されたときの前記電源回復履歴情報が、前記電源回復履歴情報のうち最新の前記電源回復履歴情報と同じであるとき、前記第１測定結果について、前記測定部との通信が確立した時点である基準日時から、該基準日時における前記カウント値と前記測定時の前記カウント値との差分を減算することにより前記測定情報が取得された測定日時を算出することを特徴とする請求項１に記載の測定機器。
【請求項１３】
前記測定部が前記差分を算出して、前記測定日時算出部に送信することを特徴とする請求項１２に記載の測定機器。
【請求項１４】
前記測定部から送信される前記基準日時におけるカウント値及び測定時の前記カウント値に基づいて、前記測定日時算出部において前記差分を算出することを特徴とする請求項１２に記載の測定機器。
【請求項１５】
前記測定日時算出部は、前記測定部から受信した前記電源回復履歴情報に基づき、前記第１測定結果に含まれる前記測定情報が取得された際の前記電源回復履歴を判断し、該電源回復履歴と同じ電源回復履歴を有する第２測定結果のいずれかに含まれる前記測定日時に、該第２測定結果に対応する前記測定時の前記カウント値と、前記第１測定結果に対応する前記測定時の前記カウント値との差分を加算又は減算することにより該第１測定結果に対応する前記測定情報の測定日時を算出することを特徴とする請求項１３又は１４に記載の測定機器。
【請求項１６】
前記測定日時算出部は、前記測定部から受信した前記電源回復履歴情報に基づき、前記第１測定結果に含まれる前記測定情報が取得された際の前記電源回復履歴を判断し、該電源回復履歴と同じ電源回復履歴を有する第２測定結果のいずれについても有効な前記測定日時が算出されていない場合に、前記第１測定結果について前記測定日時を無効として前記第２測定結果蓄積部に蓄積することを特徴とする請求項１５に記載の測定機器。
【請求項１７】
前記測定情報を時系列で表示するための表示データ生成部を備え、
前記表示データ生成部は、前記測定日時が無効である前記第２測定結果について、連続する前記識別情報が付された該第２測定結果の前記測定情報を、該連続する識別情報が付された前記測定情報の間で、測定時の前記カウント値の差分に応じて時系列に配置した仮のグラフを生成し、該仮のグラフの時間方向の中央が、前記測定日時が無効である前記第２測定結果の前後で直近の無効ではない前記測定日時の時間方向の中央に一致するように配置することを特徴とする請求項１６に記載の測定機器。
【請求項１８】
前記表示データ生成部は、同じ前記電源回復履歴の前記第２測定結果の全てについて前記測定日時が無効である前記電源回復履歴が複数ある場合に、第２測定結果の全てについて前記測定日時が無効である前記電源回復履歴について、連続する前記識別情報が付された該第２測定結果の前記測定情報を、該連続する識別情報が付された前記測定情報の間で、測定時の前記カウント値の差分に応じて時系列に配置した仮のグラフを生成し、前記測定日時が無効である前記測定結果の前後で直近の無効でない前記測定日時の時間方向を、前記電源回復履歴ごとの複数の時間間隔に分割し、各電源回復履歴に対応する時間間隔の中央に、当該電源回復履歴ごとの測定日時が無効である前記第２測定結果の前記仮のグラフの時間方向の中央が一致するように配置することを特徴とする請求項１７に記載の測定機器。
【発明の詳細な説明】
【技術分野】
【０００１】
本発明は、測定機器に関する。
【背景技術】
【０００２】
近年、体重、血圧値、活動量などの、個人の健康に関する情報（以下、健康情報ともいう）を測定機器によって測定し、当該測定結果をスマートフォンなどの情報端末で記録、分析することで、健康管理を行うことが普及しつつある。
【０００３】
このような健康管理を行う場合には、測定機器による測定結果の経時的な変化は有益な情報となる。この場合には、測定結果に加えて、当該測定が行われた日時情報を記録する必要がある。
特許文献１には、ＲＴＣ（Ｒｅａｌ  Ｔｉｍｅ  Ｃｌｏｃｋ）を備えた生体情報測定装置が、測定された生体情報とＲＴＣから供給される時刻情報をデータセンタに送信する技術が開示されている。
【先行技術文献】
【特許文献】
【０００４】
【特許文献１】特開２００５−２６１７１０号公報
【発明の概要】
【発明が解決しようとする課題】
【０００５】
しかしながら、ＲＴＣのみでは、測定機器の電源投入時からの経過時間が取得できるにすぎない。一方で、測定日時を記録するために各測定機器に時計を搭載すると、コストが上昇する。また、複数種類の健康情報を、複数種類の測定機器によって収集する場合には、各測定機器のＲＴＣを同期させる必要が生じるという問題もある。
【０００６】
上記のような従来の技術に鑑み、本発明は、測定部に時計を備えることなく、測定日時情報を取得することが可能な測定機器を提供することを目的とする。
【課題を解決するための手段】
【０００７】
上記の課題を解決するため、本発明に係る測定機器は、
カウント値として所定タイミングからの経過時間を計測する計時部と、測定によって取得された測定情報、該測定情報が取得された順に該測定情報に一意に付された識別情報及び測定時の前記カウント値とを含む第１測定結果を複数蓄積する第１測定結果蓄積部と、該第１測定結果蓄積部に蓄積された該第１測定結果を送信する送信部とを有する測定部と、
前記測定部から前記第１測定結果を受信する受信部と、
前記測定部から受信した該第１測定結果に含まれる前記測定情報及び測定時の日時情報を少なくとも含む第２測定結果を蓄積する第２測定結果蓄積部と、
前記第１測定結果について、前記測定部との通信が確立した時点である基準日時から、該基準日時における前記カウント値と測定時の前記カウント値との差分を減算することにより前記測定情報が取得された測定日時を算出する測定日時算出部と、
を備えたことを特徴とする。
【０００８】
ここで、上記の測定機器は、ユニットとして構成されたものに限らず、独立して複数の装置からなるシステムであってもよい。また、測定機器には、複数の測定部を有するものを含まれる。
測定部及び送信部を備える独立した装置には、体重計、体組成計、血圧計、心拍計、体温計などの身体情報計測機器や、歩数計、各種フィットネス機器が備える活動量計などの活動量計測機器や、温湿度計、騒音計、照度計などの環境情報計測機器、など様々な計測機器が含まれる。また、上記の測定情報には、計測機器に応じて、体重、体脂肪率、血圧、心拍（脈拍）、体温などの身体情報や、歩数、走行距離、消費熱量などの活動量や、室温、湿度、騒音レベル、照度などの環境情報、など様々な量の値が含まれる。
また、受信部及び測定日時算出部を備える独立した装置には、スマートフォン、タブレット端末、ノートパソコンなどの携帯情報端末の他、据置型の情報端末が含まれる。
【０００９】
上記のような構成によれば、測定部に時計を備えなくとも、所定タイミングからの経過時間を計測する計時部を備えることにより、計時部によって取得されるカウント値に基づいて測定日時情報を取得することができる。測定部に時計を備える必要がないので、測定部のコストを低減し、ひいては測定機器全体のコストの低減を図ることもできる。
【００１０】
また、上記の測定機器は、
前記測定部が前記差分を算出して、前記測定日時算出部に送信するものであってもよい。
【００１１】
また、上記の測定機器は、
前記測定部から送信される前記基準日時におけるカウント値及び測定時の前記カウント値に基づいて、前記測定日時算出部において前記差分を算出するものであってもよい。
【００１２】
このようにすれば、差分の算出を測定部で行わないので、測定部における処理の負荷を軽減することができる。
【００１３】
また、上記の測定機器において、
前記測定部は、該測定部における電源の喪失及び回復に関する電源回復情報を記憶し、
前記測定日時算出部は、前記測定部から受信した前記電源回復情報に基づき、前記第１測定結果に含まれる前記測定情報が前記電源喪失の前に取得されたか否かを判断し、該測定情報が前記電源喪失の前に取得されたものである場合は、前記第２測定結果蓄積部に蓄積され、前記測定日時が算出された前記第２測定結果のうち最後に蓄積された前記第２測定結果に含まれる前記測定日時に、該最後に蓄積された第２測定結果に対応する前記測定時の前記カウント値と前記第１測定結果に対応する前記測定時の前記カウント値との差分を加算することにより該第１測定結果に対応する前記測定情報の測定日時を算出するものであってもよい。
【００１４】
このようにすれば、測定部に時計を備えなくとも、所定タイミングからの経過時間を計測する計時部を備えることにより、計時部によって取得されるカウント値に基づいて測定日時情報を取得することができる。測定部に時計を備える必要がないので、測定部のコストを低減し、ひいては測定機器全体のコストの低減を図ることもできる。さらに、測定部の電源が喪失され、それまでの経過時間がクリアされてしまった場合においても、測定部に時計を備えることなく、測定日時情報を取得することができる。
ここでは、電源の喪失及び回復には、電池が測定機器から取り外されることにより電源源が喪失され、電池が測定機器に装着されることにより電源が回復されること、すなわち、電池交換されることが含まれる。この場合には、電源回復情報は電池交換情報に対応し、後述する電源回復フラグは電池交換フラグに対応する。また、電源の喪失及び回復には、測定機器の電源プラグがコンセントから引き抜かれることにより電源が喪失され、測定機器の電源プラグがコンセントに差し込まれることにより電源が回復されることが含まれる。さらに、電源の喪失及び回復には、停電等によりコンセントに対する電力の供給が断たれることにより、コンセントに電源プラグが差し込まれた測定機器の電源が喪失され、
コンセントに対する電力の供給が再開されることにより、コンセントに電源プラグが差し込まれた測定機器の電源が回復される場合も含まれる。
【００１５】
また、上記の測定機器において、
前記測定部は、前記電源装置の後の最初の電源回復時に、前記第１測定結果蓄積部に蓄積されている全ての第１測定結果について電源回復情報として電源回復フラグを付与し、
前記測定日時算出部は、前記電源回復フラグが付与されている第１測定結果について、該第１測定結果に含まれる前記測定情報が前記電源喪失の前に取得されたものであると判断するようにしてもよい。
【００１６】
また、上記の測定機器において、
前記測定部は、前記電源喪失の後の最初の電源回復時に、前記第１測定結果蓄積部に蓄積されている前記第１測定結果のうち最新の前記第１測定結果について前記電源回復情報である電源回復フラグを付与し、
前記測定部は、前記第１測定結果蓄積部に蓄積されている前記第１測定結果を、最新のものから順に送信し、
前記測定日時算出部は、前記電源回復フラグが付与されている前記第１測定結果及びその後に受信した前記第１測定結果について、該第１測定結果に含まれる前記測定情報が前記電源喪失の前に取得されたものであると判断するものであってもよい。
【００１７】
また、上記の測定機器において、
前記測定部は、前記電源喪失の後の最初の電源回復時に、前記第１測定結果蓄積部に蓄積されている前記第１測定結果のうち最新の前記第１測定結果に含まれる前記識別情報を基準識別情報として記憶し、前記第１測定結果の送信時に各測定情報に付された前記識別情報と前記基準識別情報を比較して該測定結果に付された前記識別情報が前記基準識別情報よりも前の時点で取得されたものであること示す場合に、該測定情報に前記電源回復情報として電源回復フラグを付して送信し、
前記測定日時算出部は、前記電源回復フラグが付与されている測定結果について、受信した前記測定情報が前記電源喪失の前に取得されたものであると判断するようにしてもよい。
【００１８】
また、上記の測定機器において、
前記測定部は、前記電源喪失の後の最初の電源回復時に、前記第１測定結果蓄積部に蓄積されている前記第１測定結果のうち最新の前記第１測定結果に含まれる前記測定情報に含まれる前記識別情報を基準識別情報として記憶し、前記第１測定結果蓄積部に蓄積された前記第１測定結果のうち最新の前記第１測定結果から前記識別情報の降順に該第１測定結果を送信する際に、該送信されるべき第１測定結果に含まれる前記識別情報と前記基準識別情報を比較し、該送信されるべき第１測定結果に含まれる前記識別情報が前記基準識別情報と同一である場合に、該送信されるべき第１測定結果に前記電源回復情報である電源回復フラグを付して送信し、
前記測定日時算出部は、前記電源回復フラグが付与されている前記第１測定結果及びその後に受信した前記第１測定結果に含まれる前記測定情報は前記電源喪失の前に取得されたものであると判断するようにしてもよい。
【００１９】
また、上記の測定機器において、
前記測定部は、前記電源喪失の後の最初の電源回復時に、前記第１測定結果蓄積部に蓄積されている前記第１測定結果のうち最新の前記第１測定結果の前記識別情報を前記電源回復情報である基準識別情報として記憶し、前記第１測定結果の送信時に該基準識別情報を送信し、
前記測定日時算出部は、受信した前記第１測定結果の前記識別情報と前記基準識別情報
を比較し、前記識別情報が前記基準識別情報よりも前の時点で取得されたものであることを示す場合に、該第１測定結果に含まれる前記測定情報は前記電源喪失の前に取得されたものであると判断するようにしてもよい。
【００２０】
また、上記の測定機器において、
前記測定部又は前記測定日時算出部が、前記第２測定結果蓄積部に最後に蓄積された前記第２測定結果に対応する前記測定時の前記カウント値が前記第１測定結果蓄積部に蓄積されていない場合、又は、前記第１測定結果に対応する前記測定時の前記カウント値が、該第１測定結果の一つ前の測定時の前記カウント値より前を示す場合に、前記差分を無効とするとともに、
前記測定日時算出部は、前記差分が無効となった前記第１測定結果以後に測定された前記第１測定結果であって、前記電源喪失の前に取得された第１測定結果について前記測定日時を無効として前記第２測定結果蓄積部に蓄積するようにしてもよい。
【００２１】
また、上記の測定機器において、
前記測定情報を時系列で表示するための表示データ生成部を備え、
前記表示データ生成部は、前記測定日時が無効である前記第２測定結果について、連続する前記識別情報が付された該第２測定結果の前記測定情報を、該連続する識別情報が付された前記測定情報の間で、測定時の前記カウント値の差分に応じて時系列に配置した仮のグラフを生成し、該仮のグラフの時間方向の中央が、前記測定日時が無効である前記第２測定結果の前後で直近の無効ではない前記測定日時の時間方向の中央に一致するように配置するようにしてもよい。
【００２２】
このようにすれば、正確な測定日時を算出できない測定情報についても、測定日時が特定されている他の測定情報との相対的な時系列変化を知ることができる。
【００２３】
また、上記の測定機器において、
前記測定部は、該測定部における電源喪失及び回復の履歴に関する電源回復履歴情報を記憶し、
前記第１測定結果蓄積部は、前記測定時の前記電源回復履歴情報を含む前記第１測定結果を蓄積し、
前記第２測定結果蓄積部は、前記測定部から受信した前記電源回復履歴情報を含む前記第１測定結果を蓄積し、
前記測定日時算出部は、前記測定部から受信した前記第１測定結果に含まれる前記測定情報が取得されたときの前記電源回復履歴情報が、前記電源回復履歴情報のうち最新の前記電源回復履歴情報と同じであるとき、前記第１測定結果について、前記測定部との通信が確立した時点である基準日時から、該基準日時における前記カウント値と前記測定時の前記カウント値との差分を減算することにより前記測定情報が取得された測定日時を算出するようにしてもよい。
【００２４】
このようにすれば、測定部が電源の喪失及び回復を経ている場合にも、最新の電源喪失及び回復の履歴と同じ電源喪失及び回復の履歴を有する第１測定結果については、測定部に時計を備えなくとも、計時部によって取得されるカウント値に基づいて測定日時情報を取得することができる。
【００２５】
ここで、電源回復履歴情報は、電源の喪失及び回復の履歴を示す情報であり、例えば、現在までの電源喪失及び回復が行われた回数情報が挙げられるが、電源の喪失及び回復の履歴に対応する情報であれば、これに限られない。
また、電源の喪失及び回復には、電池が測定機器から取り外されることにより電源が喪失され、電池が測定機器に装着されることにより電源が回復されること、すなわち、電池
交換されることが含まれる。この場合には、電源回復履歴情報は電池交換履歴情報に対応する。また、電源の喪失及び回復には、測定機器の電源プラグがコンセントから引き抜かれることにより電源が喪失され、測定機器の電源プラグがコンセントに差し込まれることにより電源が回復されることが含まれる。さらに、電源の喪失及び回復には、停電等によりコンセントに対する電力の供給が断たれることにより、コンセントに電源プラグが差し込まれた測定機器の電源が喪失され、コンセントに対する電力の供給が再開されることにより、コンセントに電源プラグが差し込まれた測定機器の電源が回復される場合も含まれる。
【００２６】
また、上記の測定機器は、
前記測定部が前記差分を算出して、前記測定日時算出部に送信するものであってもよい。
【００２７】
また、上記の測定機器は、
前記測定部から送信される前記基準日時におけるカウント値及び測定時の前記カウント値に基づいて、前記測定日時算出部において前記差分を算出するものであってもよい。
【００２８】
このようにすれば、差分の算出を測定部で行わないので、測定部における処理の負荷を軽減することができる。
【００２９】
また、上記測定機器において、
前記測定日時算出部は、前記測定部から受信した前記電源回復履歴情報に基づき、前記第１測定結果に含まれる前記測定情報が取得された際の前記電源回復履歴を判断し、該電源回復履歴と同じ電源回復履歴を有する第２測定結果のいずれかに含まれる前記測定日時に、該第２測定結果に対応する前記測定時の前記カウント値と、前記第１測定結果に対応する前記測定時の前記カウント値との差分を加算又は減算することにより該第１測定結果に対応する前記測定情報の測定日時を算出するようにしてもよい。
【００３０】
このようにすれば、測定部から受信部に送信されていない、又は、送信されたものの受信部で受信されていない第１測定結果の件数に関わらず、第２測定結果蓄積部に同じ電源喪失及び回復の履歴を有し、かつ、有効な測定日時が算出されている第２測定結果が１件でも蓄積されていれば、測定日時の算出が可能となる。また、カウント値の差分処理を行わないので、測定部の処理負荷も少ない。
【００３１】
また、上記測定機器において、
前記測定日時算出部は、前記測定部から受信した前記電源回復履歴情報に基づき、前記第１測定結果に含まれる前記測定情報が取得された際の前記電源回復履歴を判断し、該電源回復履歴と同じ電源回復履歴を有する第２測定結果のいずれについても有効な前記測定日時が算出されていない場合に、前記第１測定結果について前記測定日時を無効として前記第２測定結果蓄積部に蓄積するようにしてもよい。
【００３２】
また、上記測定機器において、
前記測定情報を時系列で表示するための表示データ生成部を備え、
前記表示データ生成部は、前記測定日時が無効である前記第２測定結果について、連続する前記識別情報が付された該第２測定結果の前記測定情報を、該連続する識別情報が付された前記測定情報の間で、測定時の前記カウント値の差分に応じて時系列に配置した仮のグラフを生成し、該仮のグラフの時間方向の中央が、前記測定日時が無効である前記第２測定結果の前後で直近の無効ではない前記測定日時の時間方向の中央に一致するように配置するようにしてもよい。
【００３３】
このようにすれば、正確な測定日時を算出できない測定情報についても、測定日時が特定されている他の測定情報との相対的な時系列変化を知ることができる。
【００３４】
また、上記測定機器において、
前記表示データ生成部は、同じ前記電源回復履歴の前記第２測定結果の全てについて前記測定日時が無効である前記電源回復履歴が複数ある場合に、第２測定結果の全てについて前記測定日時が無効である前記電源回復履歴について、連続する前記識別情報が付された該第２測定結果の前記測定情報を、該連続する識別情報が付された前記測定情報の間で、測定時の前記カウント値の差分に応じて時系列に配置した仮のグラフを生成し、前記測定日時が無効である前記測定結果の前後で直近の無効でない前記測定日時の時間方向を、前記電源回復履歴ごとの複数の時間間隔に分割し、各電源回復履歴に対応する時間間隔の中央に、当該電源回復履歴ごとの測定日時が無効である前記第２測定結果の前記仮のグラフの時間方向の中央が一致するように配置するようにしてもよい。
【００３５】
このようにすれば、同じ電源回復履歴情報の第２測定結果の全てについて測定日時が無効である電源回復履歴情報が複数ある場合でも、正確な測定日時を算出できない測定情報について、測定日時が特定されている他の測定情報との相対的な時系列変化を知ることができる。
【発明の効果】
【００３６】
本発明によれば、時計を備えることなく、計測日時情報を取得できる計測機器を提供することができる。
【図面の簡単な説明】
【００３７】
【図１】図１は、実施形態１に係る健康情報管理システムの構成例の概略を説明するブロック図である。
【図２】図２は、実施形態１に係る健康情報管理システムの血圧計の表示画面の一例を示す図である。
【図３】図３は、実施形態１に係る健康情報管理システムのスマートフォンの画面表示の一例を示す図である。
【図４】図４は、実施形態１に係る健康情報管理システムの血圧計の測定及び測定結果の記録処理の流れを示すフローチャートである。
【図５】図５は、実施形態１に係る健康情報管理システムの血圧計によるスマートフォンへの測定結果の通常の送信処理の流れを示すフローチャートである。
【図６】図６は、実施形態１に係る健康情報管理システムの血圧計による測定からスマートフォンへの測定結果送信処理までの流れを示すフローチャートである。
【図７】図７は、実施形態１に係る健康情報管理システムの血圧計からスマートフォンへの測定結果送信処理の流れを示すフローチャートである。
【図８】図８Ａ，図８Ｂは、実施形態１に係る健康情報管理システムの血圧計における測定結果記録部のデータ構成の一例を示す図である。
【図９】図９は、実施形態１に係る健康情報管理システムのスマートフォンにおける測定情報の受信処理の流れを示すフローチャートである。
【図１０】図１０は、実施形態１に係る健康情報管理システムのスマートフォンにおける測定日時の特定処理の流れを示すフローチャートである。
【図１１】図１１は、実施形態１に係る健康情報管理システムのスマートフォンにおける測定結果記録部のデータ構成の一例を示す図である。
【図１２】図１２Ａ，図１２Ｂは、実施形態１のケース２に係る健康情報管理システムの血圧計における測定結果記録部のデータ構成の一例を示す図である。
【図１３】図１３は、実施形態１のケース２に係る健康情報管理システムのスマートフォンにおける測定結果記録部のデータ構成の一例を示す図である。
【図１４】図１４は、実施形態１のケース２に係る健康情報管理システムのスマートフォンにおける血圧情報の経時変化の表示例を示す図である。
【図１５】図１５Ａ，図１５Ｂは、実施形態１のケース３に係る健康情報管理システムの血圧計における測定結果記録部のデータ構成の一例を示す図である。
【図１６】図１６は、実施形態１のケース３に係る健康情報管理システムのスマートフォンにおける測定結果記録部のデータ構成の一例を示す図である。
【図１７】図１７は、実施形態２に係る健康情報管理システムの血圧計からスマートフォンへの測定結果送信処理の流れを示すフローチャートである。
【図１８】図１８は、実施形態２に係る健康情報管理システムのスマートフォンにおける測定日時の特定処理の流れを示すフローチャートである。
【図１９】図１９は、実施形態３に係る健康情報管理システムの血圧計からスマートフォンへの測定結果送信処理の流れを示すフローチャートである。
【図２０】図２０は、実施形態３に係る健康情報管理システムのスマートフォンにおける測定情報の受信処理の流れを示すフローチャートである。
【図２１】図２１は、実施形態３に係る健康情報管理システムのスマートフォンにおける測定日時の特定処理の流れを示すフローチャートである。
【図２２】図２２は、実施形態４に係る健康情報管理システムの血圧計からスマートフォンへの測定結果送信処理の流れを示すフローチャートである。
【図２３】図２３は、実施形態４に係る健康情報管理システムのスマートフォンにおける測定情報の受信処理の流れを示すフローチャートである。
【図２４】図２４は、実施形態４に係る健康情報管理システムのスマートフォンにおける測定日時の特定処理の流れを示すフローチャートである。
【図２５】図２５は、実施形態５に係る健康情報管理システムの血圧計の測定及び測定結果の記録処理の流れを示すフローチャートである。
【図２６】図２６は、実施形態５に係る健康情報管理システムの血圧計からスマートフォンへの測定結果送信処理の流れを示すフローチャートである。
【図２７】図２７は、実施形態５に係る健康情報管理システムのスマートフォンにおける測定情報の受信処理の流れを示すフローチャートである。
【図２８】図２８は、実施形態５に係る健康情報管理システムのスマートフォンにおける測定日時の特定処理の流れを示すフローチャートである。
【図２９】図２９は、実施形態５に血圧計における測定結果のデータ構成の一例とスマートフォンでの測定日時特定の一例を示す図である。
【図３０】図３０は、実施形態５に血圧計における測定結果のデータ構成の他の例とスマートフォンでの測定日時特定の他の例を示す図である。
【図３１】図３１は、実施形態５のケース２に係る健康情報管理システムのスマートフォンにおける血圧情報の経時変化の表示例を示す図である。
【発明を実施するための形態】
【００３８】
以下、本発明の具体的な実施形態について図面に基づいて説明する。
【００３９】
＜実施形態１＞
まず図１から図１６に基づいて、本発明の実施形態の一例について説明する。ただし、この実施形態に記載されている構成部品の寸法、材質、形状、その相対配置などは、特に記載がない限りは、この発明の範囲をそれらのみに限定する趣旨のものではない。
【００４０】
（システム構成）
図１は本実施形態に係る測定機器である健康情報管理システム１の構成例を示す概略図である。図１に示すように、健康情報管理システム１は、測定部の一例としての血圧計１０と、測定日時算出部を含むスマートフォン２０を含んでおり、血圧計１０とスマートフォン２０とは近距離無線通信によって通信可能な構成となっている。無線通信の方式は特
に限定されないが、例えば、Ｂｌｕｅｔｏｏｔｈ（登録商標）、赤外線通信、超音波による情報伝送、などの方法を採用することができる。
【００４１】
（血圧計）
本実施形態における血圧計１０は、いわゆるオシロメトリック法によりユーザーの血圧を測定する計測機器であり、図１に示すように、センサ部１１０と、表示部１２０と、通信部１３０と、入力部１４０と、制御部１５０と、ＲＴＣ１６０と、記憶部１７０を含んで構成される。
【００４２】
センサ部１１０は、血圧計１０のカフ部分に配置される圧力センサを備えており、適正なカフ圧下でユーザーの血管から脈波を検出する。本実施形態における血圧計１０では、センサ部が検出する脈波に基づいて、最高血圧、最低血圧に加えて脈拍も計測可能である。以下、最高血圧、最低血圧、脈拍の値をまとめて血圧情報という。本実施形態では、血圧情報が測定情報に相当する。
【００４３】
表示部１２０は、例えば液晶ディスプレイなどによって形成され、算出された血圧情報を表示する。図２に、表示部１２０の表示画面の一例を示す。
【００４４】
通信部１３０は、近距離無線通信で使用される信号を電波として送受信する通信アンテナであり、所望の公知技術を採用することができる。通信部１３０によって、血圧計それぞれに固有の識別番号（例えば、シリアルナンバーなど）と、計測された血圧情報を含む情報が送信される。なお、本実施形態では、通信部１３０が送信部に該当する。
【００４５】
入力部１４０は、ユーザーからの入力を受け付けるボタン、タッチパネルディスプレイなどの入力手段であり、ユーザーから、電源のＯＮ／ＯＦＦ、計測の開始、項目の選択などの各種操作を受け付ける。
【００４６】
制御部１５０は、血圧計１０の制御を司る手段であり、例えば、ＣＰＵ（Ｃｅｎｔｒａｌ Ｐｒｏｃｅｓｓｉｎｇ Ｕｎｉｔ）などを含んで構成される。制御部１５０は、入力部１４０を介してユーザーからの計測開始の指示を受け付けるとカフを加圧し、適切なカフ圧下で、センサ部１１０が検出した脈波に基づいて血圧情報を算出する。そして、表示部１２０に当該算出した値を表示する。その他、入力部１４０を介してユーザーの操作に応じた処理を実行するように血圧計１０の各構成要素を制御する。
【００４７】
ＲＴＣ１６０は、リアルタイムクロック（Ｒｅａｌ  Ｔｉｍｅ  Ｃｌｏｃｋ）であり、電源投入時等の所定タイミングからカウントアップするタイマであって、電源投入時からの経過時間を示す。電池の交換が行われるとＲＴＣ１６０のカウント値はクリアされ、０から再度カウントアップされる。本実施形態では、ＲＴＣ１６０が計時部に相当する。本実施形態を含む各実施形態では、ＲＴＣ１６０のカウント値がクリアされた後、０から再カウントアップされる事象の原因となる電源の喪失及び回復として電池交換を例に説明する。この場合、電源の喪失は電池の血圧計１０からの取り外しに対応し、電源の回復は電池の血圧計１０への装着に対応する。血圧計１０がコンセントに差し込まれた電源プラグから電源の供給を受ける場合には、電源の喪失は電源プラグをコンセントから引き抜かれることに対応し、電源の回復は電源プラグをコンセントに差し込むことに対応する。また、血圧計１０の電源プラグがコンセントに差し込まれた状態で、停電等によりコンセントを介した電力の供給が停止されることが電源の喪失に対応し、コンセントを介した電力の供給が再開されることが電源の回復に対応する。
【００４８】
記憶部１７０は、ＲＡＭなどの主記憶装置の他、例えばフラッシュメモリなどの長期記憶媒体を含んで構成され、アプリケーションプログラム、計測情報、などの各種の情報を
記憶する。
記憶部１７０の所定領域には、血圧計１０による測定回数を示すシーケンス番号が記憶されている。シーケンス番号は測定順に昇順で一意に付与される番号である。測定が行われるごとに更新され、上述の領域には現時点での測定回数を示す最新のシーケンス番号が保持される。シーケンス番号は、付された測定情報の測定の順序が識別可能であればよく、測定順に昇順に限られず、測定順に降順に付してもよい。
測定結果記録部１８０は、記憶部１７０に含まれる不揮発性メモリであって、センサ部１１０によって測定された血圧情報とＲＴＣのカウント値と当該測定に対して付与されたシーケンス番号等の情報を記録する。本実施形態では、測定結果記録部１８０が第１測定結果蓄積部に相当する。また、本実施形態では、センサ部１１０によって測定された血圧情報とＲＴＣのカウント値等の情報が第１測定結果に相当する。
【００４９】
（スマートフォン）
スマートフォン２０は、図１に示すように、通信部２１０、タッチパネルディスプレイ２２０、記憶部２３０、制御部２４０、時計部２５０を含んで構成される。
【００５０】
通信部２１０は、近距離無線通信に係る電波を含む電波を送受信する通信アンテナであり、血圧計１０から送信された計測情報を受信する他、他の電子機器や基地局とも電波の送受信を行う。本実施形態では、通信部２１０が受信部に相当する。
【００５１】
タッチパネルディスプレイ２２０は、表示手段と入力手段とを兼ねており、通信部２１０が受信した血圧情報が表示される。図３は、タッチパネルディスプレイ２２０に、測定された最高血圧の推移を測定日時の時系列に沿って表示した例を示す。また、各種の入力用画像を介してユーザーからの操作を受け付ける。なお、本実施形態においてはタッチパネルディスプレイ２２０が、第２の表示手段及び入力手段に該当する。
【００５２】
記憶部２３０は、ＲＡＭなどの主記憶装置の他、例えばフラッシュメモリなどの長期記憶媒体を含んで構成され、アプリケーションプログラム、計測情報、などの各種の情報を記憶する。
測定結果記録部２６０は、記憶部２３０に含まれる不揮発性メモリであって、血圧計１０から受信した血圧情報や当該血圧情報が測定された測定日時等の情報を記録する。本実施形態では、測定結果記録部２６０が第２測定結果蓄積部に相当する。また、本実施形態では、血圧情報や当該血圧情報が測定された測定日時等の情報が第２測定結果に相当する。
【００５３】
制御部２４０はスマートフォンの制御を司る手段であり、例えばＣＰＵなどを含んで構成され、記憶部２３０に格納された各種プログラムを実行することにより、これらに応じた機能を発揮する。本実施形態では、制御部２４０が測定日時算出部及び表示データ生成部に相当する。
【００５４】
時計部２５０は、計時機能を有し、現在の日時情報を保持する。
【００５５】
（測定日時の特定）
次に、血圧計１０と、スマートフォン２０とによって測定日時を特定する方法について説明する。
【００５６】
［血圧計による血圧情報の測定］
図４は、血圧計１０による血圧情報の測定と測定結果の記録との処理手順を示すフローチャートである。
ユーザーが、カフを腕に巻いて測定準備を整え、血圧計１０の入力部１４０に含まれる
測定開始ボタンを押下する。制御部１５０は、測定開始ボタンの押下を検出すると、所定の血圧情報の測定処理を行う（ステップＳ１）。
【００５７】
次に、制御部１５０は、ＲＴＣ１６０から、測定時のカウント値、すなわち電源ＯＮからの経過時間を取得する（ステップＳ２）。測定には、ある程度の時間幅があるため、測定時としていずれのタイミングのカウント値を取得するかは適宜設定すればよい。例えば、測定時のカウント値として、測定開始時のカウント値を設定することができるが、これに限られない。
【００５８】
次に、制御部１５０は、測定結果である血圧情報と経過時間であるＲＴＣのカウント値を当該測定に対応するシーケンス番号とともに測定結果記録部１８０に記憶する（ステップＳ３）。
【００５９】
［スマートフォンへの測定結果の送信］
図５は、血圧計１０からスマートフォン２０への測定結果の送信処理の流れを示すフローチャートである。
スマートフォン２０が常に最新の測定結果を保持しておけるように、１回の測定ごとに測定結果を送信することが望ましい。この測定結果の送信処理は、図４で説明した血圧情報の測定に続いて、自動的に行われるようにしてもよいし、ユーザーが送信ボタンを押下することによって行われるようにしてもよい。
【００６０】
まず、制御部１５０が、通信部１３０を介して、スマートフォン２０との通信を確立する。血圧計１０とスマートフォン２０との通信が確立すると、制御部１５０は送信時現在のＲＴＣのカウント値を取得する（ステップＳ４）。
【００６１】
次に、制御部１５０は、最新の測定結果、すなわち、最もシーケンス番号の大きい測定値と測定時のＲＴＣのカウント値を、測定結果記録部１８０から取得する（ステップＳ５）。
【００６２】
次に、制御部１５０は、ステップＳ４で取得した送信時現在のＲＴＣのカウント値と、ステップＳ５で取得した測定時のＲＴＣのカウント値との差分を算出する（ステップＳ６）。
【００６３】
そして、制御部１５０は、ステップＳ５で取得した最もシーケンス番号の大きい測定と、ステップＳ６で算出したＲＴＣのカウント値の差分を含む最新の測定結果を、通信部１３０を介してスマートフォン２０へ送信する（ステップＳ７）。
【００６４】
次に、制御部１５０は、過去分の測定結果、すなわち、２番目に大きいシーケンス番号の測定値と測定時のＲＴＣのカウント値を、測定結果記録部１８０から取得する（ステップＳ８）。
【００６５】
次に、制御部１５０は、ステップＳ４で取得した送信時現在のＲＴＣのカウント値と、ステップＳ８で取得した測定時のＲＴＣのカウント値との差分を算出する（ステップＳ９）。
【００６６】
そして、制御部１５０は、ステップＳ８で取得した２番目に大きいシーケンス番号の測定値と、ステップＳ９で算出したＲＴＣのカウント値の差分を含む過去分の測定結果を、通信部１３０を介してスマートフォン２０へ送信する（ステップＳ１０）。ここでは、過去分の測定結果を１件ずつ取得し、送信してもよいし、複数件まとめて取得し、送信してもよい。また、１件または複数件の測定結果の取得及び送信を繰り返して、測定結果記録
部１８０に蓄積されている全ての測定結果をスマートフォン２０へ送信するようにしてもよい。
【００６７】
上述のように、通常の処理として、１回の血圧情報の測定ごとに最新の測定結果及び過去分の測定結果を血圧計１０からスマートフォン２０に送信しておけば、仮に、電池交換が行われたとしても、スマートフォン２０において、電池交換後の最新の測定結果について、送信時のＲＴＣのカウント値と、測定値のＲＴＣのカウント値との差分を、送信時現在の日時情報から減算することにより、測定日時を算出することができる。
【００６８】
しかし、血圧計１０からスマートフォン２０への一方向の通信のみが行われる場合には、血圧計１０から送信されたもののスマートフォン２０では受信されていないとしても、血圧計１０側ではそれを認識できない。また、血圧計１０の何らかの不都合により、最新の測定結果又は過去分の測定結果が送信されないこともあり得る。
このような例外的な場合にも、時計機能を持たない血圧計１０によって測定された測定結果に対して、スマートフォン２０側で測定日時を特定できるようにしたのが、後述する処理である。
【００６９】
［血圧計における血圧情報の測定からスマートフォンへの測定結果の送信処理に至る処理の流れ］
図６は、血圧計１０において、血圧情報の測定から、スマートフォン２０への測定結果の送信処理に至る処理の流れの例を示すフローチャートである。
【００７０】
ユーザーが血圧計１０によって血圧情報を測定すると、制御部１５０は、図４に示した測定処理と測定結果の記録処理を行う（ステップＳ１１）。
【００７１】
次に、血圧計１０の制御部１５０は、所定のタイミングで、図５に示した測定結果の送信処理を行う（ステップＳ１２）。
【００７２】
ユーザーが血圧計１０の電池を交換した後、最初に電源を投入したときに、制御部１５０は所定の電源投入時処理を行う（ステップＳ１３）。
ここでは、不揮発性メモリによって構成される測定結果記録部１８０の所定領域（以下「測定結果メモリ」ともいう。）に記録されている測定結果のそれぞれに付与されているシーケンス番号のうち最新のシーケンス番号を、電源交換前シーケンス番号として、測定結果記録部１８０の所定の領域に記憶する。この電源交換前シーケンス番号が記憶される領域は、測定結果記録部１８０に限られず、記憶部１７０に含まれる不揮発性メモリの他の領域に記憶されるようにしてもよい。電源投入時には、制御部１５０は、他に種々の初期化処理を行うが、これについては周知の処理であるため詳述しない。本実施形態では、シーケンス番号が識別情報に相当し、電池交換前シーケンス番号が、電池交換情報及び基準識別情報に相当する。
【００７３】
このように、電源交換前シーケンス番号のみを記憶しておくようにすれば、電池交換後の最初の電源投入時の処理の負荷が軽減され、処理に要する時間も短縮することができる。
【００７４】
ユーザーは、電池交換後に電源を投入し、血圧情報を測定すると、制御部１５０は、図４に示した測定処理と測定結果の記録処理を行う（ステップＳ１４）。
【００７５】
次に、制御部１５０は、所定のタイミングで、血圧計１０からスマートフォン２０への後述する測定結果の送信処理を行う（ステップＳ１５）。血圧計１０がスマートフォン２０に測定結果を送信するタイミングは、血圧情報が測定される毎に過去分を含めて測定結
果を送信するようにしてもよいし、入力部１４０に含まれる送信ボタンをユーザーが押下したタイミングでもよいし、電源の投入、所定の時間の経過、所定回数の測定が行われたこと等を制御部１５０が判断したタイミングでもよく、適宜設定することができる。
【００７６】
上述の電池交換後の電源投入時処理としては、電源投入時に測定結果メモリに記録されている全ての測定結果に対して、電池交換の有無を表す電池交換フラグを１に設定するようにしてもよい。このようにすれば、測定結果の送信時に、電池交換前シーケンス番号に基づいて電池交換フラグを設定する場合に比べて、送信時の処理の負荷が軽減され、処理に要する時間も軽減できる。
また、上述の電池交換後の電源投入時処理としては、電源投入時に測定結果メモリに記憶されている測定結果のうち最新の測定結果、すなわち最新のシーケンス番号が付された測定結果についてのみ電池交換フラグを１に設定するようにしてもよい。このようにすれば、全ての測定結果に対して電池交換フラグを１に設定するよりも、処理の負荷が軽減され、処理に要する時間も短縮することができる。
【００７７】
図６は、血圧計１０において、血圧情報の測定から、スマートフォン２０への測定結果の送信処理に至る処理の流れを例示するものであり、これに限られない。図６のステップＳ１１及びステップＳ１４に示す測定処理と測定結果の記録処理は、一般に複数回繰り返される。また、図６では、測定結果の送信までに電池交換は１回行われているが、複数回行われることもある。複数回の電池交換の間に１又は複数回の血圧情報の測定が行われることもある。また、電池交換後の電源投入時処理を行った後に、血圧情報を測定することなく、測定結果を送信することもある。
【００７８】
［血圧計からスマートフォンへの測定結果の送信］
図７は、血圧計１０からスマートフォン２０に測定結果を含むデータを送信する処理の手順を示すフローチャートである。
まず、制御部１５０が、通信部１３０を介して、スマートフォン２０との通信を確立する。血圧計１０とスマートフォン２０との通信が確立すると、制御部１５０は送信時現在のＲＴＣのカウント値を取得する（ステップＳ２１）。本実施形態では、血圧計１０とスマートフォン２０との通信が確立した送信時現在の時点が基準日時に相当する。
【００７９】
次に、制御部１５０は、不揮発メモリの所定領域から、電池交換前シーケンス番号を取得する（ステップＳ２２）。
ここで、図８Ａ，図８Ｂを参照して、測定結果記録部１８０のデータの構成について説明する。図８Ａ，図８Ｂは、測定結果記録部１８０に記録されたデータの構成を模式的に示した図である。ここでは、不図示の測定結果には、昇順で付与されるシーケンス番号（図８Ａにおいてタイトル行「♯」の列に格納される。）が関連付けられている。そして、測定結果記録部１８０では、各測定結果に測定時のＲＴＣのカウント値（図８Ａにおいてタイトル行「ＲＴＣ」の列に格納されている。）が関連付けられている。図８Ａに示されているように、シーケンス番号１が付された測定結果の測定時のカウント値は４７２２２３７秒（以下、カウント値については単位を省略して数値のみ表記する。）である。シーケンス番号が大きい測定結果ほど、後に測定されているので、電源ＯＮからの経過時間であるＲＴＣのカウント値も大きくなっている。ただし、電池が交換されるとＲＴＣのカウント値は、クリアされ０に戻る。上述したように、血圧計１０では、電池交換後の電源投入時に、その時点での最新（最大）のシーケンス番号が電池交換前シーケンス番号として記憶されている。図８Ａではシーケンス番号２７と２８の測定との間で電池が交換されているので、シーケンス番号２７が電池交換前シーケンス番号として記憶されている。
図８Ａに即して説明すると、ステップＳ２２では、電池交換前のシーケンス番号として「２７」が取得される。
【００８０】
次に、制御部１５０は、測定結果を新しい順に（ステップＳ２３）、すなわちシーケンス番号の大きいものから降順で、測定結果記録部１８０から測定結果と測定時のＲＴＣのカウント値を取得する（ステップＳ２４）。
【００８１】
そして、制御部１５０は、ステップＳ２３で取得した測定結果のシーケンス番号がステップＳ２２で取得した電池交換前シーケンス番号以下であるか否かを判断する（ステップＳ２５）。
【００８２】
ステップＳ２５においてＮｏと判断された場合、すなわち、ステップＳ２４で取得した測定結果のシーケンス番号がステップＳ２２で取得した電池交換前シーケンス番号よりも大きい場合には、制御部１５０は、電池交換後の測定結果であるから電池交換フラグを０に設定する（ステップＳ２６）。図８Ｂに示す例では、シーケンス番号２８から３０までの測定結果が電池交換後のものであるから、電池交換フラグにＯＦＦを表す０が設定されている。そして、制御部１５０は、差分時間として、ステップＳ２１で取得した現在のＲＴＣのカウント値からステップＳ２４で取得した測定結果の測定時のＲＴＣのカウント値を減じた値を設定する（ステップＳ２７）。図８Ｂに示す例では、シーケンス番号３０の測定結果に対して、ステップＳ２７の差分計算式に従い、現在のＲＴＣのカウント値２８８０から測定時のＲＴＣのカウント値である２８８０を減じた値である０が、差分時間として設定される。シーケンス番号２９の測定結果に対しても同様に、２８８０から１４４０を減じた値である１４４０が、差分時間として設定される。シーケンス番号２８の測定結果に対しても同様に、２８８０から６０を減じた値である２８２０が、差分時間として設定される。そして、制御部１５０は通信部１３０を介して、１件分の測定結果として、血圧情報と、シーケンス番号と、ステップＳ１６で設定された電池交換フラグの値と、ステップＳ２７で設定された差分時間の値をスマートフォン２０に送信する（ステップＳ２８）。
【００８３】
ステップＳ２５においてＹｅｓと判断された場合、すなわち、ステップＳ２４で取得した測定結果のシーケンス番号がステップＳ２２で取得した電池交換前シーケンス番号以下である場合には、制御部１５０は、電池交換前の測定結果であるから電池交換フラグを１に設定する（ステップＳ２９）。図８Ｂに示す例では、シーケンス番号１〜２７の測定結果が電池交換前のものであるから、電池交換フラグにＯＮを表す１が設定されている。シーケンス番号２４以下の測定結果は既にスマートフォン２０に送信済みであり、図１１に示すようにスマートフォン２０上ではこれらの測定結果については測定日時が特定されている。そして、制御部１５０は、当該測定結果が最古の履歴であるか否かを判断する（ステップＳ２０）。ここでは、最古の履歴であるか否かはより小さいシーケンス番号の測定結果が測定結果記録部１８０に格納されているか否かによって判断する。
【００８４】
ステップＳ３０においてＹｅｓと判断された場合には、制御部１５０は、差分時間として「無効」と設定し（ステップＳ３１）、ステップＳ２８に進む。図８Ａに示す例では、シーケンス番号１の測定結果が最古の履歴であるため、差分時間として「無効」と設定している。
【００８５】
ステップＳ３０においてＮｏと判断された場合には、制御部１５０は、測定結果記録部１８０から一つ前の測定時のＲＴＣのカウント値を取得する（ステップＳ３２）。
【００８６】
そして、制御部１５０は、ステップＳ３２で取得した一つ前の測定時のＲＴＣのカウント値が、ステップＳ２４で取得したＲＴＣのカウント値以下か否かを判断する（ステップＳ３３）。
【００８７】
ステップＳ３３においてＮｏと判断された場合には、制御部１５０は、差分時間として
「無効」と設定し（ステップＳ３４）、ステップＳ２８に進む。通常は、ステップＳ３２で取得した一つ前の測定時のＲＴＣのカウント値は、ステップＳ２４で取得したＲＴＣのカウント値を超えることはないので、このような場合に測定結果のいずれかに誤りがあると考えられるので、差分時間として「無効」と設定する。
【００８８】
ステップＳ３３においてＹｅｓと判断された場合には、制御部１５０は、差分時間として、ステップＳ２４で取得した測定時のＲＴＣのカウント値から、ステップＳ２２で取得した一つ前の測定時のＲＴＣのカウント値を減じた値を設定し（ステップＳ１５）、ステップＳ２８に進む。図８Ｂに示す例では、シーケンス番号２７の測定結果に対して、ステップＳ３５の差分計算式に従い、シーケンス番号２７の測定結果のＲＴＣのカウント値である４７６８３１７から一つ前の測定時のＲＴＣであるシーケンス番号２７の測定結果のＲＴＣのカウント値である４７６６８７７を減じた値である１４４０が差分時間として設定される。シーケンス番号２６の測定結果についても同様に、差分時間として１４４０が差分時間として設定される。シーケンス番号２５の測定結果についても同様に、差分時間として１４４０が設定される。
【００８９】
ステップＳ２４からステップＳ２８までの処理を、全ての測定結果について新しい測定結果から順に繰り返したら（ステップＳ３６）、制御部１５０は、通信部１３０を介して、スマートフォン２０との通信を切断して終了する。
【００９０】
［血圧計から測定結果を受信したスマートフォンにおける測定日時特定処理］
図９は、血圧計１０から測定結果を含むデータを、スマートフォン２０において受信する処理の手順を示すフローチャートである。
【００９１】
血圧計１０との通信が確立され、通信が開始されると、制御部２４０は、時計部２５０から現在の日時情報を取得する（ステップＳ４１）。
【００９２】
次に、制御部２４０は、血圧計１０との通信が終了するまで（ステップＳ４２）、通信部２１０を介して測定結果を１件ずつ受信する（ステップＳ４３）。このとき、血圧計１０からは、シーケンス番号が大きいものから順に測定結果が送信されるので、スマートフォン２０は、シーケンス番号が大きいものから順に測定結果を受信する。
制御部２４０では、受信した測定結果のシーケンス番号（Ｓｑ）の測定結果が、測定結果記録部２６０に保存され、かつ、当該測定結果について有効な測定日時が特定されているか否かを判断する（ステップＳ４４）。
【００９３】
ステップＳ４４においてＮｏと判断された場合には、当該測定結果を測定結果記録部２６０に保存し（ステップＳ４５）、ステップＳ４７に進む。
ステップＳ４４においてＹｅｓと判断された場合には、当該測定結果を保存せずに破棄し（ステップＳ４６）、ステップＳ４７に進む。
【００９４】
ステップＳ４７では、ステップＳ４３で受信した測定結果のシーケンス番号ＳｑがＳｑｍａｘ−Ｎ＋１であるか否かを判定する。ここで、Ｓｑｍａｘとは、血圧計１０から受信する測定結果のうちシーケンス番号が最大ものである。Ｎは、血圧計１０の測定結果記録部１８０の測定結果メモリに記録できる件数である。Ｓｑｍａｘは、血圧計１０からは測定結果が最も大きいシーケンス番号のものから降順で送信されるので、最初に受信した測定結果のシーケンス番号を測定結果記録部２６０の所定領域に記憶しておいてもよいし、測定結果とは別に、血圧計１０から送信するようにしてもよい。また、Ｎの値は、血圧計１０とスマートフォン２０とをペアリング等により認識可能とする際に、血圧計１０からスマートフォン２０に送信し、記憶部２３０の所定領域に記憶しておいてもよいが、Ｎの値の取得方法はこれに限られない。
【００９５】
ステップＳ４７においてＹｅｓと判断された場合には、通信を終了する。
ステップＳ４７においてＮｏと判断された場合には、ステップＳ４３に戻って、次の測定結果を受信する。
【００９６】
図１０は、図９に従って受信した測定結果に対してスマートフォン２０において実行される測定日時を特定する処理の手順を示すフローチャートである。以下に、図１０を参照して、制御部２４０における測定日時特定処理について説明する。
【００９７】
制御部２４０は、ステップＳ４３〜ステップＳ４６で受信した測定結果をシーケンス番号の小さいものから順に処理を繰り返す（ステップＳ５１）。
【００９８】
まず、制御部２４０は、測定結果記録部２６０から、ステップＳ４３〜ステップＳ４６で受信した測定結果のうちシーケンス番号が最も小さいもの１件を取得する（ステップＳ５２）。
制御部２４０は、ステップＳ５２で取得した測定結果において、差分時間として設定されているデータが「無効」か否かを判断する（ステップＳ５３）。
【００９９】
ステップＳ５３においてＹｅｓと判断された場合には、制御部２４０は、測定日時として「無効」と設定する（ステップＳ５４）。そして、制御部２４０は、測定結果と測定日時を測定結果記録部２６０に記録する（ステップＳ５５）。
【０１００】
ステップＳ５３においてＮｏと判断された場合には、制御部２４０は、電池が交換されているか否かを判断する（ステップＳ５６）。ここでは、制御部２４０は、血圧計１０から受信した測定結果に含まれる電池交換フラグの値に基づいて電池が交換されたか否かを判断する。
【０１０１】
ステップＳ５６において電池交換されていない、すなわち電池交換フラグが０と判断された場合には、制御部２４０は測定日時として、ステップＳ４１で取得した現在日時から、ステップＳ４４で受信した測定結果に含まれる差分時間の値を減じた値を設定する（ステップＳ５７）。そして、ステップＳ５５に進む。図１１は、図８Ａ，図８Ｂに示す例に対応する、測定結果記録部２６０に記録されたデータの構成を模式的に示した図である。図１１に示す例では、シーケンス番号２８〜３０の測定結果の電池交換フラグが０に設定されている。このため、シーケンス番号３０の測定結果については、ステップＳ５７の日時計算式に従い、現在日時である７月５日１０：００：００から、差分時間として設定されている０秒を減じた値である７月５日１０：００：００が測定日時として設定される。シーケンス番号２９の測定結果に対しても同様に、７月５日１０：００：００から１４４０秒を減じた値である７月５日９：３７：００が測定日時として設定される。シーケンス番号２８の測定結果に対しても同様に、７月５日１０：００：００から２８２０秒を減じた値である７月５日９：１３：００が測定日時として設定される。
【０１０２】
ステップＳ５６において電池交換されている、すなわち電池交換フラグが１と判断された場合には、制御部２４０は、測定結果記録部２６０から一つ前の測定日時の測定結果、すなわち、シーケンス番号が一つ小さい測定結果を取得する（ステップＳ５８）。
【０１０３】
そして、制御部２４０は、ステップＳ５８で取得した測定結果の測定日時として有効な値が設定されているか否かを判断する（ステップＳ５９）。
【０１０４】
ステップＳ５９においてＮｏと判断された場合、すなわち一つ前の測定日時の測定結果に含まれる測定日時として「無効」が設定されている場合には、ステップＳ５２で取得し
た測定結果の測定日時についても「無効」と設定する（ステップＳ６０）。そして、ステップＳ５５に進む。
【０１０５】
ステップＳ５９においてＹｅｓと判断された場合、すなわち一つ前の測定日時の測定結果に含まれる測定日時として有効な値が設定されている場合には、ステップＳ５８で取得した一つ前の測定日時にステップＳ５２で取得した測定結果に含まれる差分時間を加えた値を測定日時として設定する（ステップＳ６１）。そして、ステップ５５に進む。図１１に示す例では、シーケンス番号２５の測定結果に含まれる電池交換フラグは１であり、一つ前の測定日時はシーケンス番号２４の７月３日の１０：２４：００である。従って、この７月３日１０：２４：００に、シーケンス番号２５の測定結果に含まれる差分時間である１４４０秒を加えた値である７月３日１０：４８：００が測定日時として設定される。シーケンス番号２６の測定結果についても同様に、７月３日１０：４８：００に１４４０秒を加えた値である７月３日１１：１２：００が測定日時として設定される。シーケンス番号２７の測定結果についても同様に、７月３日１１：１２：００に１４４０秒を加えた値である７月３日１１：２６：００が測定日時として設定される。
【０１０６】
制御部２４０は、ステップＳ４３〜ステップＳ４６で受信した測定結果について、シーケンス番号が最も大きいものまで、ステップＳ５２〜ステップＳ５５の処理を繰り返す（ステップＳ６２）。
【０１０７】
このように、本実施形態に係る健康情報管理システム１によれば、血圧計１０に時計を備えることなく、スマートフォン２０において測定日時情報を取得することができる。
【０１０８】
［測定日時が特定できない例外的なケース］
上述した処理により、スマートフォン２０において、時計を備えない血圧計１０によって行われた血圧情報の測定日時を特定することができるが、以下に述べるケースについては、例外的にスマートフォン２０において、血圧計１０による血圧情報の測定日時を特定することができない。
【０１０９】
［ケース１］
血圧計１０から、何らかの理由により、スマートフォン２０に測定結果が送信されない、又は、血圧計１０から送信された測定結果が、何らかの理由によりスマートフォン２０で受信されない場合である。このような場合には、スマートフォン２０において、基準となる測定日時が保持されていないので、測定日時を特定することができない。
【０１１０】
［ケース２］
図１２Ａ，図１２Ｂ及び図１３を参照して、例外的なケース２について説明する。図１２Ａ，図１２Ｂは、血圧計１０の測定結果記録部１８０に記録されたデータの構成を模式的に示した図である。また、図１３は、スマートフォン２０の測定結果記録部２６０のデータの構成を模式的に示した図である。
ここでは、血圧計１０の測定結果記録部１８０に記録できる件数Ｎが有限であり、Ｎ件以上測定した場合には古い測定結果から順に消去される仕様となっている。そして、最後にスマートフォン２０が測定結果を受信してからＮ回以上の測定が行われ、かつ、直近からＮ回以内の測定が行われる間に電池交換がなされた後に、血圧計１０からスマートフォン２０に測定結果を送信した場合がケース２に該当する。
【０１１１】
図１２Ａに示す例では、Ｎ＝３０であり、シーケンス番号１〜５の５件については消去され、シーケンス番号６〜３５が記録されている。シーケンス番号１〜５の測定結果については、既に、血圧計１０からスマートフォン２０に送信されており、図１２に示すように、シーケンス番号５の測定結果に対しては、６月１６日１６：４２：００と測定日時が
特定されている。血圧計１０では、シーケンス番号５以前の測定結果が消去されているため、シーケンス番号６の測定結果については、差分計算式に従った差分時間の算出ができず、差分時間の設定が「無効」となってしまう。このため、スマートフォン２０では、シーケンス番号６〜３２の測定結果については、基準となる測定日時がないので、測定日時を特定することができず、いずれの測定日時も「無効」と設定される。
【０１１２】
上述の処理において、測定日時として「無効」と設定された測定結果、すなわち、図１３に示す例ではシーケンス番号６〜３２の測定結果については、血圧計１０から受信した差分時間のデータを測定結果記録部２６０に記憶するようにしてもよい。このようにすれば、測定日時として「無効」と設定されたデータについても、互いの測定日時の間隔は特定できるので、血圧情報の相対的な経時変化をタッチパネルディスプレイ２２０に表示することができる。
【０１１３】
図１４に、血圧情報として最高血圧の経時変化の表示例を示す。
ここでは、シーケンス番号ｎ以下及びシーケンス番号ｍ以上の測定結果についてはそれぞれｔｎ，ｔｍ等の測定日時が特定されているとする。一方、シーケンス番号ｋ〜ｋ＋３の測定結果についてはいずれも測定日時が「無効」と設定されている。このとき、シーケンス番号ｋ〜ｋ＋３の測定結果については、シーケンス番号ｋ〜ｋ＋１、シーケンス番号ｋ＋１〜ｋ＋２、シーケンス番号ｋ＋２〜ｋ＋３のそれぞれの測定日時の間隔Ｔｋ，Ｔｋ＋１，Ｔｋ＋２はＲＴＣのカウント値によって特定できている。このため、これらのシーケンス番号に対応するデータの時間方向の間隔を、それぞれのＲＴＣのカウント値の間隔に対応させて設定する。そして、測定日時が「無効」となっている測定結果の仮のグラフを、測定結果の時系列変化を示すグラフ中に配置する場合には、測定日時が「無効」となっている測定結果の時間方向の中央が、その前後の有効な測定日時の間の中央値に一致するように配置することができる。シーケンス番号ｋ〜ｋ＋３のデータの測定結果の仮のグラフを、それらの測定時間間隔の中央が、測定日時が「無効」となっている測定結果より古く、かつ測定日時が特定されている測定結果のうち最新のもの（シーケンス番号ｎ）と、測定日時が「無効」となっている測定結果より新しく、かつ測定日時が特定されている測定結果のうち最古のもの（シーケンス番号ｍ）のそれぞれの測定日時の中央値、ここでは（ｔｍ＋ｔｎ）／２に一致するように最高血圧の測定結果の時系列グラフに配置する。
このようにすれば、正確な測定日時を特定できない測定結果についても、測定日時が特定できている他の測定結果との相対的な時系列変化を知ることができ、健康管理に有益な情報を提供することができる。
なお、図１４に示す例では、シーケンス番号ｎとシーケンス番号ｋ、シーケンス番号ｋ＋３とシーケンス番号ｍとは必ずしも連続していない場合について説明したが、それぞれが連続していてもよい。
【０１１４】
［ケース３］
図１５Ａ，図１５Ｂ及び図１６を参照して、例外的なケース３について説明する。図１５Ａ，図１５Ｂは、血圧計１０の測定結果記録部１８０に記録されたデータの構成を模式的に示した図である。また、図１６は、スマートフォン２０の測定結果記録部２６０のデータの構成を模式的に示した図である。
ケース３は、血圧計１０が最後にスマートフォン２０に測定結果を送信してから２回以上電池交換を行った場合である。このようなケースでは、最初の電池交換までの測定結果については測定日時を特定できるが、２回目の電池交換以降、最新の電池交換前までの測定結果については測定日時を特定することができない。
【０１１５】
図１５Ａに示す例では、シーケンス番号２３とシーケンス番号２４との間と、シーケンス番号２７とシーケンス番号２８との間で、２回の電池交換が行われている。シーケンス番号２１〜２３、シーケンス番号２５〜２７、シーケンス番号２８〜３０については、実
施例１において説明した差分計算式に従って差分時間を算出することができるが、シーケンス番号２４の測定結果については差分計算ができないため、差分時間として「無効」が設定される。このとき、シーケンス番号１〜２０の測定結果については、既に血圧計１０からスマートフォン２０に測定結果が送信されているため、図１６に示すように、特定された測定日時が測定結果記録部２６０に記録されている。
従って、シーケンス番号２１〜２３、シーケンス番号２８〜３０の測定結果については、実施例１において説明した日時計算式に従って、測定日時を特定することができる。しかし、シーケンス番号２４〜２７の測定結果については、基準となる測定日時がないので、測定日時を特定することができず、いずれの測定日時も「無効」と設定される。
【０１１６】
＜実施形態２＞
次に、本発明の実施形態２について説明する。本実施形態に係る健康情報管理システム１のハードウエア構成は実施形態１と同様である。また、血圧計１０による血圧情報の測定及び、血圧計における血圧情報の測定からスマートフォン２０への測定結果の送信処理に至る処理の全体的な流れも実施形態１と同様である。実施形態１と同様の処理については同様の符号を用いて詳細な説明は省略する。
【０１１７】
本実施形態では、血圧計１０からスマートフォン２０への測定結果の送信と、血圧計１０から測定結果を受信したスマートフォン２０における測定日時特定処理の詳細が実施形態１とは異なるので、これらの処理について以下に説明する。
【０１１８】
［血圧計からスマートフォンへの測定結果の送信］
図１７は、実施形態２に係る血圧計１０からスマートフォン２０に測定結果を含むデータを送信する処理の手順を示すフローチャートである。実施形態１と共通の処理については同一の符号を付して詳細な説明を省略する。
【０１１９】
本実施形態では、測定結果メモリに記憶された全ての測定結果に電池交換フラグを付与してスマートフォン２０に送信するのではなく、電池交換前シーケンス番号と同一のシーケンス番号が付された測定結果についてのみ電池交換フラグ１を付与して送信する。
【０１２０】
図１７に示すように、制御部１５０は、測定結果記録部１８０から測定結果を取得すると当該測定結果のシーケンス番号（Ｓｑ）とステップＳ２２で取得した電池交換前シーケンス番号（Ｓｑｃ）とを比較する（ステップＳ７１）。
【０１２１】
ステップＳ７１において、Ｓｑ＞Ｓｑｃ、すなわち当該測定結果のシーケンス番号が電池交換前シーケンス番号よりも大きいと判断された場合には、電池交換後の測定結果であるから、ステップＳ２７に進む。
【０１２２】
ステップＳ７１において、Ｓｑ＝Ｓｑｃ、すなわち当該測定結果のシーケンス番号が電池交換前シーケンス番号と同一であると判断された場合には、電池交換フラグ１を付与し（ステップＳ７２）、ステップＳ３０に進む。
【０１２３】
ステップＳ７１において、Ｓｑ＜Ｓｑｃ、すなわち当該測定結果のシーケンス番号が電池交換前シーケンス番号よりも小さいと判断された場合には、電池交換前の測定結果であるから、ステップＳ３０に進む。
【０１２４】
ステップＳ２７，ステップＳ３０以降の処理は実施形態１と同様であるので詳細な説明を省略する。
このとき、ステップＳ２８においてスマートフォン２０に送信される測定結果には、電池交換前シーケンス番号と同一のシーケンス番号の測定結果にのみ電池交換フラグ１が含
まれ、他の測定結果には電池交換フラグは含まれない。
【０１２５】
［血圧計から測定結果を受信したスマートフォンにおける測定日時特定処理］
図１８は、実施形態２に係る血圧計１０から測定結果を含むデータを受信したスマートフォン２０において測定日時を特定する処理の手順を示すフローチャートである。実施形態１と共通の処理については同一の符号を付して詳細な説明を省略する。図１８に示す、スマートフォン２０において実行される測定日時を特定する処理に先立ち、血圧計１０から測定結果を含むデータを受信する処理は、図９に示す実施形態１と共通である。ただし、本実施形態では、測定結果とともに電池交換フラグを含むデータを受信したときに、当該データのシーケンス番号、すなわちＳｑｃを測定結果記録部２６０の所定領域に記憶しておく。
【０１２６】
本実施形態では、血圧計１０から受信した測定結果のうち、電池交換フラグを含む測定結果は電池交換前シーケンス番号と同一のシーケンス番号が付された測定結果である。従って、シーケンス番号の降順に受信される測定結果のうち、電池交換フラグを受信する前の測定結果は電池交換後のものであり、電池交換フラグを受信した後の測定結果は電池交換前のものであると判断し、判断結果に応じて測定日時を特定する。
【０１２７】
まず、測定結果記録部２６０の所定領域から、電池交換フラグを含むデータのシーケンス番号Ｓｑｃを取得する（ステップＳ７３）。
ステップＳ５１〜Ｓ５５の処理は実施形態１と同様である。
ステップＳ５３において差分時間が無効ではないと判断された場合に、制御部２４０は、ステップＳ５２において取得した測定結果のシーケンス番号ＳｑがＳｑｃ以下であるか否かを判断する（ステップＳ７４）。
ステップＳ７４においてＮｏ、すなわち、シーケンス番号ＳｑがＳｑｃより大きい場合には、当該測定結果は電池交換後の測定結果であるので、ステップＳ５７に進む。
ステップＳ７３においてＹｅｓ、すなわち、シーケンス番号ＳｑがＳｑｃ以下である場合には、当該測定結果は電池交換前の測定結果であるので、ステップＳ５８に進む。
ステップＳ５４，ステップＳ５７及びステップＳ５９以降の処理は実施形態１と同様であるので詳細な説明は省略する。
【０１２８】
このように、血圧計１０から測定結果を送信する際に、電池交換前シーケンス番号と同一のシーケンス番号が付された測定結果のみに電池交換フラグ１を付してスマートフォン２０に送信することにより、測定結果の送信時の処理負荷を小さくすることができ、処理に要する時間も短縮できる。また、送信するデータ量も少なくなるので、送信時間も短縮することができる。
【０１２９】
＜実施形態３＞
次に、本発明の実施形態３について説明する。本実施形態に係る健康情報管理システム１のハードウエア構成は実施形態１と同様である。また、血圧計１０による血圧情報の測定及び、血圧計における血圧情報の測定からスマートフォン２０への測定結果の送信処理に至る処理の全体的な流れも実施形態１と同様である。実施形態１と同様の処理については同様の符号を用いて詳細な説明は省略する。
【０１３０】
本実施形態では、血圧計１０からスマートフォン２０への測定結果の送信と、血圧計１０から測定結果を受信したスマートフォン２０における測定日時特定処理の詳細が実施形態１とは異なるので、これらの処理について以下に説明する。
【０１３１】
［血圧計からスマートフォンへの測定結果の送信］
図１９は、実施形態３に係る血圧計１０からスマートフォン２０に測定結果を含むデー
タを送信する処理の手順を示すフローチャートである。実施形態１と共通の処理については同一の符号を付して詳細な説明を省略する。
【０１３２】
本実施形態では、測定結果メモリに記憶された測定結果とは別に、電池交換前シーケンス番号を血圧計１０からスマートフォン２０に送信する。
【０１３３】
図１９に示すように、制御部１５０は、測定結果記録部１８０の所定領域に記憶されている電池交換前シーケンス番号を取得し（ステップＳ２２）、これを、通信部１３０を介してスマートフォン２０に送信する（ステップＳ７５）。
ステップＳ２３以降の処理は、実施形態１と同様であるので、詳細な説明を省略する。
【０１３４】
［血圧計から測定結果を受信したスマートフォンにおける測定日時特定処理］
図２０は、実施形態３に係る血圧計１０から測定結果を含むデータを、スマートフォン２０において受信する処理の手順を示すフローチャートである。実施形態１と共通の処理については同一の符号を付して詳細な説明を省略する。
【０１３５】
ステップＳ４１において、制御部２４０が現在日時を取得した後に、血圧計１０から電池交換前シーケンス番号を受信する（ステップＳ７６）。
ステップＳ４２以降の処理は、図９に示す実施形態１と共通である。
【０１３６】
図２１は、図２０に従って受信した測定結果に対してスマートフォン２０において実行される測定日時を特定する処理の手順を示すフローチャートである。以下に、図２１を参照して、制御部２４０における測定日時特定処理について説明する。
【０１３７】
本実施形態では、血圧計１０から受信した測定結果に付されたシーケンス番号が、電池交換前シーケンス番号より大きいか否かを判断し、電池交換前シーケンス番号より大きなシーケンス番号が付された測定結果は電池交換後のものであり、電池交換前シーケンス番号以下のシーケンス番号が付された測定結果は電池交換前のものであると判断し、判断結果に応じて測定日時を特定する。
【０１３８】
制御部２４０は、ステップＳ４３〜ステップＳ４６で受信した測定結果をシーケンス番号の小さいものから順に処理を繰り返す（ステップＳ５１）。
まず、制御部２４０は、測定結果記録部２６０から、ステップＳ４３〜ステップＳ４６で受信した測定結果のうちシーケンス番号が最も小さいもの１件を取得（ステップＳ５２）、差分時間が無効であるか否かを判断する（ステップＳ５２）。
【０１３９】
ステップＳ５３において差分時間が無効でないと判断された場合には、制御部２４０は、当該測定結果に付されたシーケンス番号（Ｓｑ）が電池交換前シーケンス番号（Ｓｑｃ）よりも大きいか否かを判断する（ステップＳ７７）。
【０１４０】
ステップＳ７７において当該測定結果に付されたシーケンス番号（Ｓｑ）が電池交換前シーケンス番号（Ｓｑｃ）よりも大きいと判断された場合には、ステップＳ５７に進む。
ステップＳ７７において当該測定結果に付されたシーケンス番号（Ｓｑ）が電池交換前シーケンス番号（Ｓｑｃ）以下であると判断された場合には、ステップＳ５８に進む。
ステップＳ５４，ステップＳ５７及びステップＳ５８以降の処理は実施形態１と同様であるので詳細な説明を省略する。
【０１４１】
このように、血圧計１０から測定結果を送信する際に、電池交換前シーケンス番号を測定結果とは別にスマートフォン２０に送信することにより、各測定結果に電池交換フラグを付して送信する場合に比べて測定結果の送信時の処理負荷を小さくすることができ、処
理に要する時間も短縮できる。また、送信するデータ量も少なくなるので、送信時間も短縮することができる。
【０１４２】
＜実施形態４＞
次に、本発明の実施形態４について説明する。本実施形態に係る健康情報管理システム１のハードウエア構成は実施形態１と同様である。また、血圧計１０による血圧情報の測定及び、血圧計における血圧情報の測定からスマートフォン２０への測定結果の送信処理に至る処理の全体的な流れも実施形態１と同様である。実施形態１と同様の処理については同様の符号を用いて詳細な説明は省略する。
【０１４３】
本実施形態では、血圧計１０からスマートフォン２０への測定結果の送信と、血圧計１０から測定結果を受信したスマートフォン２０における測定日時特定処理の詳細が実施形態１とは異なる。実施形態１〜３では、血圧計１０において測定時のＲＴＣ等から差分時間を算出し、これをスマートフォン２０に送信していた。そして、スマートフォン２０において、差分時間と電池交換フラグ等に基づいて測定日時を特定していた。本実施形態では、血圧計１０において差分時間を算出することなく、測定時のＲＴＣ等をスマートフォン２０に送信し、スマートフォン２０において差分時間等に基づいて測定日時を特定している。
なお、実施形態１において説明した通常の処理についても、本実施形態と同様に、血圧計１０から測定時のＲＴＣのカウント値を測定値とともにスマートフォン２０に送信するようにしてもよい。この場合には、図５のステップＳ４で送信時現在のＲＴＣのカウント値を取得した後に、これをスマートフォン２０に送信しておく。そして、スマートフォン２０側で、送信時現在のＲＴＣのカウント値と測定時のＲＴＣのカウント値との差分を算出し、送信時現在の日時情報からＲＴＣのカウント値の差分を減算することにより、測定日時を算出することができる。
【０１４４】
［血圧計からスマートフォンへの測定結果の送信］
図２２は、実施形態４に係る血圧計１０からスマートフォン２０に測定結果を含むデータを送信する処理の手順を示すフローチャートである。
【０１４５】
まず、制御部１５０が、通信部１３０を介して、スマートフォン２０との通信を確立する。血圧計１０とスマートフォン２０との通信が確立すると、制御部１５０は送信時現在のＲＴＣのカウント値を取得する（ステップＳ８１）。
【０１４６】
次に、制御部１５０は、取得した送信時現在のＲＴＣのカウント値を、通信部１３０を介してスマートフォン２０に送信する（ステップＳ８２）。
【０１４７】
次に、制御部１５０は、測定結果記録部１８０の所定領域から、電池交換前シーケンス番号を取得する（ステップＳ８３）。
【０１４８】
次に、制御部１５０は、測定結果を新しい順に（ステップＳ８４）、すなわちシーケンス番号の大きいものから降順で、測定結果記録部１８０から測定結果としての血圧情報と測定時のＲＴＣのカウント値を取得する（ステップＳ８５）。
【０１４９】
そして、制御部１５０は、ステップＳ８５で取得した測定結果のシーケンス番号がステップＳ６３で取得した電池交換前シーケンス番号以下であるか否かを判断する（ステップＳ８６）。
【０１５０】
ステップＳ８６においてＮｏと判断された場合、すなわち、ステップＳ８５で取得した測定結果のシーケンス番号がステップＳ８３で取得した電池交換前シーケンス番号よりも
大きい場合には、制御部１５０は、電池交換後の測定結果であるから電池交換フラグを０に設定する（ステップＳ８７）。
【０１５１】
そして、制御部１５０は通信部１３０を介して、１件分の測定結果として、血圧情報と、測定時のＲＴＣのカウント値と、電池交換フラグをスマートフォン２０に送信する（ステップＳ８８）。
【０１５２】
ステップＳ８６においてＹｅｓと判断された場合、すなわち、ステップＳ８５で取得した測定結果のシーケンス番号がステップＳ８３で取得した電池交換前シーケンス番号以下である場合には、制御部１５０は、電池交換前の測定結果であるから電池交換フラグを１に設定する（ステップＳ８９）。そして、ステップＳ８８に進む。
【０１５３】
ステップＳ８５からステップＳ８８までの処理を、全ての測定結果について新しい測定結果から降順で繰り返したら（ステップＳ９０）、制御部１５０は、通信部１３０を介して、スマートフォン２０との通信を切断して終了する。
【０１５４】
［血圧計から測定結果を受信したスマートフォンにおける測定日時特定処理］
図２３は、実施形態４に係る血圧計１０から測定結果を含むデータを、スマートフォン２０において受信する処理の手順を示すフローチャートである。実施形態１と共通の処理については同一の符号を付して詳細な説明を省略する。
【０１５５】
血圧計１０との通信が確立され、通信が開始されると、制御部２４０は、時計部２５０から現在の日時情報を取得する（ステップＳ４１）。
【０１５６】
次に、制御部２４０は、血圧計１０から通信部２１０を介して送信時のＲＴＣのカウント値を受信する（ステップＳ７８）。受信した送信時のＲＴＣのカウント値は、記憶部２３０に含まれる不揮発性メモリの所定領域に記憶される。
ステップＳ４２以降の処理は、図９に示す実施形態１と共通である。
【０１５７】
図２４は、図２３に従って受信した測定結果に対してスマートフォン２０において実行される測定日時を特定する処理の手順を示すフローチャートである。以下に、図２４を参照して、制御部２４０における測定日時特定処理について説明する。
【０１５８】
制御部２４０は、ステップＳ４３〜ステップＳ４６で受信した測定結果についてシーケンス番号の小さいものから順に処理を繰り返す（ステップＳ９１）。
次に、制御部２４０は、測定結果記録部２６０から測定結果を１件ずつ取得する（ステップＳ９２）。
【０１５９】
次に、制御部２４０は、ステップＳ９２で取得した測定結果に含まれる電池交換フラグの値が０及び１のいずれであるかを判断する（ステップＳ９３）。
【０１６０】
ステップＳ９３において電池交換フラグの値が０と判断された場合とは、すなわち、ステップＳ９２で取得した測定結果が電池交換後のものである場合である。この場合には、制御部２４０は、差分時間として、ステップＳ７７で受信した送信時のＲＴＣのカウント値からステップＳ９２で取得した測定結果の測定時のＲＴＣのカウント値を減じた値を設定する（ステップＳ９４）。
【０１６１】
次に、制御部２４０は、測定日時として、ステップＳ４１で取得した現在日時から、ステップＳ９４で算出した差分時間の値を減じた値を設定する（ステップＳ９５）。そして、このようにして設定された測定日時を測定結果記録部２６０に記録する（ステップＳ９
６）。
【０１６２】
ステップＳ９３において電池交換フラグの値が１と判断された場合、すなわち、ステップＳ９２で取得した測定結果が電池交換前のものである場合には、制御部２４０は、当該測定結果が最古の履歴であるか否かを判断する（ステップＳ９７）。ここでは、最古の履歴であるか否かはより小さいシーケンス番号の測定結果が受信されるか否かによって判断する。
【０１６３】
ステップＳ９７においてＹｅｓと判断された場合には、制御部２４０は、差分時間として「無効」と設定し（ステップＳ９８）、測定日時として「無効」と設定する（ステップＳ９９）。そして、ステップＳ９６に進む。
【０１６４】
ステップＳ９７においてＮｏと判断された場合には、制御部２４０は、一つ前の測定時のＲＴＣのカウント値を取得する（ステップＳ１００）。
【０１６５】
そして、制御部２４０は、ステップＳ１００で取得した一つ前の測定時のＲＴＣのカウント値が、ステップＳ７２で受信したＲＴＣのカウント値以下か否かを判断する（ステップ１０１）。
【０１６６】
ステップＳ１０１においてＮｏと判断された場合には、制御部２４０は、差分時間として「無効」と設定し（ステップＳ１０２）、測定日時として「無効」と設定する（ステップＳ１０３）。そして、ステップＳ９６に進む。
【０１６７】
ステップＳ１０１においてＹｅｓと判断された場合には、制御部２４０は、差分時間として、ステップＳ７２で受信した測定時のＲＴＣのカウント値から、ステップＳ１００で取得した一つ前の測定時のＲＴＣのカウント値を減じた値を設定する（ステップＳ１０４）。そして、一つ前の測定日時を取得する（ステップＳ１０５）。
【０１６８】
次に、制御部２４０は、ステップＳ１０５で取得した測定結果の測定日時として有効な値が設定されているか否かを判断する（ステップＳ１０６）。
【０１６９】
ステップＳ１０６においてＮｏと判断された場合、すなわち一つ前の測定日時の測定結果に含まれる測定日時として「無効」が設定されている場合には、ステップＳ９２で取得した測定結果の測定日時についても「無効」と設定する（ステップＳ１０７）。そして、ステップＳ９６に進む。
【０１７０】
ステップＳ１０６においてＹｅｓと判断された場合、すなわち一つ前の測定日の測定結果に含まれる測定日時として有効な値が設定されている場合には、ステップＳ８７で取得した一つ前の測定日時にステップＳ１０４で算出した差分時間を加えた値を測定日時として設定する（ステップＳ１０８）。そして、ステップＳ９６に進む。
【０１７１】
制御部２４０は、ステップＳ４３〜ステップＳ４６で受信した測定結果について、シーケンス番号が最も大きいものまで、ステップＳ９３〜ステップＳ９６の処理を繰り返す（ステップＳ１０９）。
【０１７２】
このように、本実施形態に係る健康情報管理システム１によれば、血圧計１０に時計を備えることなく、スマートフォン２０において測定日時情報を取得することができる。
また、このように血圧計１０からスマートフォン２０に測定結果を送信する際に差分時間を血圧計１０側で算出することなく、測定時のＲＴＣのカウント値をそのままスマートフォン２０側に送信し、スマートフォン２０側で必要な差分時間を算出することにより、
血圧計１０の送信時の処理負荷を軽減することができ、処理に要する時間を短縮することができる。
【０１７３】
実施形態４では、血圧計１０において電池交換前シーケンス番号以下のシーケンス番号が付された全ての測定結果に対して電池交換フラグ１を付与してスマートフォン２０に送信しているが、実施形態２と同様に、電池交換前シーケンス番号と同一のシーケンス番号が付された測定結果についてのみ電池交換フラグ１を付与してスマートフォン２０に送信するようにしてもよい。また、実施形態３と同様に、測定結果メモリに記憶された測定結果とは別に、電池交換前シーケンス番号を血圧計１０からスマートフォン２０に送信するようにしてもよい。
【０１７４】
＜実施形態５＞
次に、本発明の実施形態５について説明する。本実施形態に係る健康情報管理システム１のハードウエア構成は実施形態１と同様である。本実施形態では、実施形態４と同様に、血圧情報測定時のＲＴＣのカウント値を血圧計１０からスマートフォン２０に送信し、ＲＴＣのカウント値の差分計算はスマートフォン２０側で行う。実施形態１及び実施形態４と同様の処理については同様の符号を用いて詳細な説明は省略する。
【０１７５】
本実施形態では、血圧計１０の電池交換履歴に関する電池交換履歴情報として、現在までの電池交換の回数を示す電池交換回数情報を記憶部１７０に含まれる不揮発性メモリの所定領域に保持している。この電池交換回数情報は、初期値を０とし、電池交換後の最初の電源投入時に１ずつカウントアップされる。
【０１７６】
［血圧計による血圧情報の測定］
図２５は、本実施形態に係る血圧計１０による血圧情報の測定と測定結果の記録との処理手順を示すフローチャートである。
測定処理(ステップＳ１)、ＲＴＣのカウント値取得（ステップＳ２）については実施形態１と同様である。本実施形態では、制御部１５０が血圧情報測定時の電池交換回数情報を、記憶部１７０の所定領域から取得する（ステップＳ１１１）。そして、測定結果を記録する際（ステップＳ３）には、制御部１５０は、血圧情報の測定値、ＲＴＣのカウント値に加えて、電池交換回数情報も測定結果記録部１８０に記憶する。
【０１７７】
［スマートフォンへの測定結果の送信］
図２６は、本実施形態に係る血圧計１０からスマートフォン２０への測定結果の送信処理の流れを示すフローチャートである。
制御部１５０がスマートフォン２０との通信確立後に送信時現在のＲＴＣのカウント値を取得し（ステップＳ８１）、通信部１３０を介してスマートフォン２０に送信する（ステップＳ８２）。本実施形態では、次に、制御部１５０は、記憶部１７０の所定領域から最新の電池交換回数情報を取得し（ステップＳ１１２）、通信部１３０を介してスマートフォン２０に送信する（ステップＳ１１３）。
【０１７８】
次に、制御部１５０は、測定結果を新しい順に（ステップＳ１１４）、すなわちシーケンス番号の大きいものから降順で、測定結果記録部１８０から測定結果としての血圧情報と測定時のＲＴＣのカウント値と測定時の電池交換回数情報を取得する（ステップＳ１１５）。そして、制御部１５０は、通信部１３０を介して、１件分の測定結果としての血圧情報と測定時のＲＴＣのカウント値と測定時の電池交換回数情報をスマートフォン２０に送信する（ステップＳ１１６）。
【０１７９】
ステップＳ１１５及びステップＳ１１６の処理を、全ての測定結果について新しい測定結果から降順で繰り返したら（ステップＳ１１７）、制御部１５０は、通信部１３０を介
して、スマートフォン２０との通信を切断して終了する。
【０１８０】
［血圧計から測定結果を受信したスマートフォンにおける測定日時特定処理］
図２７は、血圧計１０から測定結果を含むデータを、スマートフォン２０において受信する処理の手順を示すフローチャートである。
【０１８１】
血圧計１０との通信が確立され、通信が開始されると、制御部２４０は、時計部２５０から現在の日時情報を取得する（ステップＳ４１）。
【０１８２】
次に、制御部２４０は、血圧計１０から通信部２１０を介して送信時のＲＴＣのカウント値を受信する（ステップＳ７７）。受信した送信時のＲＴＣのカウント値は、記憶部２３０に含まれる不揮発性メモリの所定領域に記憶される。
そして、制御部２４０は、血圧計１０から通信部２１０を介して最新の電池交換回数情報を受信する（ステップＳ１１８）。受信した最新の電池交換回数情報は、記憶部２３０に含まれる不揮発性メモリの所定領域に記憶される。
ステップＳ４２以降の処理は、図９に示す実施形態１と共通である。
【０１８３】
図２８は、図２７に従って受信した測定結果に対してスマートフォン２０において実行される測定日時を特定する処理の手順を示すフローチャートである。図２９Ａは、本実施形態に係る血圧計１０における測定結果記録部１８０のデータ構成の一例を示す図である。図２９Ｂは、本実施形態に係るスマートフォン２０における測定日時の特定処理の具体例とデータ構成の一部の例を示す図である。以下に、図２８を参照して、制御部２４０における測定日時特定処理について説明する。図２９Ａに示す例では、血圧計１０の測定結果記録部１８０に記録できる件数が３０件である。この例では、シーケンス番号２３の測定と、シーケンス番号２４の測定の間で１回目の電池交換が行われ、シーケンス番号２７の測定と、シーケンス番号２８の測定との間で２回目の電池交換が行われている。このため、シーケンス番号１〜２３については電池交換回数情報として０が記録され、シーケンス番号２４〜２７について電池交換回数情報として１が記録され、シーケンス番号２８〜３０については電池交換回数情報として２が記録されている。ここでは、最新の電池交換回数は２となる。また、図２９Ｂでは、血圧情報に加えて、電池交換回数情報、測定結果のＲＴＣのカウント値も記録される。図２９Ｂに示す例では、測定時のシーケンス番号１及びシーケンス番号２５の測定結果については、スマートフォン２０に適切に送信され、有効な測定日時が特定されている。
【０１８４】
制御部２４０は、記憶部２３０の所定領域に記憶されている最新の電池交換回数情報を取得する（ステップＳ１１６）。図２９Ａの例では、「２」が取得される。
次に、制御部２４０は、ステップＳ４３〜ステップＳ４６で受信した測定結果についてシーケンス番号の小さいものから順に処理を繰り返す（ステップＳ１１７）。
【０１８５】
まず、制御部は、測定結果記録部２６０から測定結果を１件ずつ取得する（ステップＳ１１８）。
そして、制御部２４０は、ステップＳ１１８で取得した測定結果に含まれる電池交換回数情報（Ｃｈ）がステップＳ１１６で受信した最新の電池交換回数情報（Ｃｈｐ）と等しいか否かを判断する（ステップＳ１１９）。ここでは、上述のように、Ｃｈｐ＝２である。
【０１８６】
ステップＳ１１９においてＣｈ＝Ｃｈｐと判断された場合とは、すなわち、ステップＳ１１８で取得した測定結果の測定後にはまだ電池交換が行われていない場合である。この場合には、制御部２４０は、差分時間として、ステップＳ７７で受信した送信時のＲＴＣのカウント値からステップＳ１１８で取得した測定結果の測定時のＲＴＣのカウント値を
減じた値を設定する（ステップＳ１２０）。図２９Ａの例では、シーケンス番号２８〜３０の測定結果については、送信時のＲＴＣのカウント値２８８０から、各測定結果の測定時のＲＴＣのカウント値である２８８０，１４４０，６０を減じた差分時間０，１４４０，２８２０が得られる。
次に、制御部２４０は、測定日時として、ステップ４１で取得した現在日時から、ステップＳ１２１で算出した差分時間の値を減じた値を設定する(ステップＳ１２１)。そして、このようにして設定された測定日時を測定結果記録部２６０に記録する（ステップＳ１２２）。図２９Ａの例では、シーケンス番号３０〜２８の測定結果の測定日時が、現在日時である７月５日１０：００：００から差分時間０，１４４０，２８２０を減じることにより、７月５日の１０：００：００，９：３７：００，２：１３：００と特定される。
【０１８７】
ステップＳ１１９においてＣｈ＝Ｃｈｐではないと判断された場合とは、すなわち、ステップＳ１１８で取得した測定結果の測定後に少なくとも１回の電池交換が行われている場合である。この場合には、制御部２４０は、測定結果記録部２６０に記録された測定結果のうち、ステップＳ１１８において取得した測定結果と同じ電池交換回数情報を有する測定結果を検索し（ステップＳ１２３）、同じ電池交換回数情報を有し、かつ、有効な測定日時が記録されている測定結果があるか否かを判断する（ステップＳ１２４）。図２９Ｂの例では、シーケンス番号１〜２７の測定結果については、電池交換回数は２ではないので、測定結果記録部２６０に記録された測定結果が検索される。そして、電池交換回数０回の測定結果には、有効な測定日時が特定されている測定結果としてシーケンス番号１の測定結果があると判断され、電池交換回数１回の測定結果には、有効な測定日時が特定されている測定結果としてシーケンス番号２５の測定結果があると判断される。
【０１８８】
ステップＳ１２４においてＮｏと判断された場合には、ステップＳ１１８で取得した測定結果について測定日時を特定することができないので、測定日時として「無効」と設定し（ステップＳ１２５）、ステップＳ１２２に進む。
【０１８９】
ステップＳ１２４においてＹｅｓと判断された場合には、制御部２４０は、測定結果記録部２６０に記録された測定結果のうち、ステップＳ１１８において取得した測定結果と同じ電池交換回数情報を有し、かつ、有効な測定日時が記録されている測定結果を基準データとして取得する（ステップＳ１２６）。基準データとなり得る測定結果が複数件ある場合には、例えば、シーケンス番号が最も小さい測定結果を選択するが、後述する処理のためにはいずれか１件を選択すればよいので、選択条件はこれに限られない。図２９Ｂの例では、電池交換回数０回の測定結果からはシーケンス番号１の測定結果が基準データとして取得され、電池交換回数１回の測定結果からはシーケンス番号２５の測定結果が基準データとして取得される。
【０１９０】
次に、制御部２４０は、基準データの測定時のＲＴＣのカウント値が、ステップＳ１１８で取得した測定結果の測定時のＲＴＣのカウント値以下であるか否かを判断する（ステップＳ１２７）。
【０１９１】
ステップＳ１２７においてＹｅｓと判断された場合には、制御部２４０は、差分時間として、ステップＳ１１８で取得した測定結果の測定時のＲＴＣのカウント値から基準データの測定時のＲＴＣのカウント値を減じた値を設定する（ステップＳ１２８）。そして、制御部２４０は、基準データの測定日時を取得し（ステップＳ１２９）、ステップＳ１１８で取得した測定結果の測定日時として、ステップＳ１２９で取得した測定日時に、ステップＳ１２８で設定した差分時間を加えた値を設定する（ステップＳ１３０）。そして、ステップＳ１２２に進む。図２９Ｂの例では、シーケンス番号２０〜２３、シーケンス番号２６，２７の測定結果については、基準データのＲＴＣカウント値がそれぞれの測定時のＲＴＣのカウント値以下である。従って、シーケンス番号２０〜２３の測定結果の測定
時のＲＴＣのカウント値から基準データのカウント値４７２２２３７を減じることにより、４１６６０，４３２００，４４６４０，４６０８０が差分時間として得られる。そして、これらの差分時間を基準データの測定日時である６月１７日２０：１０：００に加えることにより、シーケンス番号２０〜２３の測定結果の測定日時が、６月１８日９：４４：２０，１０：１０：００，１０：２６：４０，１０：５０：４０として特定される。また、シーケンス番号２６，２７の測定結果の測定時のＲＴＣのカウント値から基準データのカウント値１４４０を減じることにより、１４４０，２８８０が差分時間として得られる。そしてこれらの差分時間を基準データの測定日時である７月３日１０：４８：００に加えることにより、シーケンス番号２６，２７の測定結果の測定日時が７月３日１１：１２：００，１１：２６：００として特定される。
【０１９２】
ステップＳ１２７においてＮｏと判断された場合には、制御部２４０は、差分時間として、基準データの測定時のＲＴＣのカウント値から、ステップＳ１１８で取得した測定結果の測定時のＲＴＣのカウント値を減じた値を設定する（ステップＳ１３１）。そして、制御部２４０は、基準データの測定日時を取得し（ステップＳ１３２）、ステップＳ１１８で取得した測定結果の測定日時として、ステップＳ１３２で取得した測定日時から、ステップＳ１３１で設定した差分時間を減じた値を設定する（ステップＳ１３３）。そして、ステップＳ１２２に進む。図２９Ｂの例では、シーケンス番号２４の測定結果の測定時のＲＴＣのカウント値６０よりも、基準データのＲＴＣのカウント値１４４０が大きい。従って、基準データの測定時のＲＴＣのカウント値１４４０から、シーケンス番号２４の測定結果の測定時のＲＴＣのカウント値６０を減じることにより、１３８０が差分時間として得られる。そして、この差分時間を基準データの測定日時である７月３日１０：４８：００から減じることにより、シーケンス番号２４の測定結果の測定日時が７月３日１０：２４：００と特定される。
なお、ステップＳ１２６で基準データを取得した以降の処理として、基準データの測定時のＲＴＣのカウント値がステップＳ１１８で取得した測定結果の測定時のＲＴＣのカウント値より大きい場合にも、差分時間として、ステップＳ１１８で取得した測定結果の測定時のＲＴＣのカウント値から基準データの測定時のＲＴＣのカウント値を減じた値（すなわち負の値）を設定し、ステップＳ１１８で取得した測定結果の測定日時として、基準データの測定日時に差分時間を加えた値を設定する（すなわち基準データの測定日時よりも前の日時を設定する）ようにしてもよい。このようにすれば、ステップＳ１３１〜ステップＳ１３３の処理はステップＳ１２８〜ステップＳ１３０と等価となるので、ステップＳ１２７の判断を省略することができる。
【０１９３】
このように、本実施形態によれば、血圧計１０からスマートフォン２０に送信されていない、又は、血圧計１０からスマートフォン２０に送信されたもののスマートフォン２０で受信されていない測定結果の件数にかかわらず、スマートフォン２０の測定結果記録部２６０に同じ電池交換回数情報を有し、かつ、有効な測定日時が特定されている測定結果が１件でも記録されていれば、測定日時の特定が可能となる。また、ＲＴＣのカウント値の差分処理を血圧計１０では行わないので、血圧計１０の処理負荷も少ない。
【０１９４】
図３０Ａは、本実施形態に係る血圧計１０における測定結果記録部１８０のデータ構成の他の例を示す図である。図３０Ｂは、本実施形態に係るスマートフォン２０における測定日時の特定処理の具体例とデータ構成の一部の他の例を示す図である。
この例では、血圧計１０において、測定結果記録部１８０が記録し得る３０件を超える３５回の血圧情報の測定が行われたため、測定結果記録部１８０のデータが上書きされ、シーケンス番号５以下の測定結果は記録されていない。また、図３０Ａに示すシーケンス番号６〜３５の測定結果は、スマートフォン２０に送信されていない、又は、血圧計１０から送信されたもののスマートフォン２０では受信されていない場合である。ただし、スマートフォン２０では、シーケンス番号５の測定結果が受信されており、この測定結果は
電池交換回数情報が０であり、有効な測定日時６月１７日１９：５０：００が特定されている。
【０１９５】
図３０Ａに示す例におけるシーケンス番号６の測定結果については、ステップＳ１２３において測定結果記録部２６０から電池交換回数情報が０である測定結果を検索すると、シーケンス番号５の測定結果があるので、ステップＳ１２４においてＹｅｓと判断される。そして、シーケンス番号５の測定結果を基準データとし、その測定時のＲＴＣのカウント値４７２１０３７を用いて、ステップＳ１２８〜１３０の処理に従い、シーケンス番号６の測定結果の測定日時が６月１７日２０：１０：００と特定される。同様に、シーケンス番号２９〜３１の測定結果についても測定日時が特定される（図上省略しているシーケンス番号７〜２８の測定結果についても同様である。）。シーケンス番号３２〜３５の測定結果については、ステップＳ１１９〜ステップＳ１２１の処理に従って、測定日時が特定される。シーケンス番号３２〜３５の測定結果についての測定日時はステップＳ１２０〜１２２に従って特定されるが、詳細な説明は省略する。
【０１９６】
このように、血圧計１０において測定結果が送信されることなく、測定結果記録部１８０に記録された測定結果が上書きされてしまったとしても、同じ電池交換回数情報を有し、かつ、有効な測定日時が特定されている測定結果がスマートフォン２０にあれば、測定日時の特定が可能となる。
【０１９７】
本実施形態では、血圧計１０では、血圧情報の測定時のＲＴＣのカウント値と送信時のＲＴＣのカウント値との差分を算出していない。しかし、血圧情報の測定時の電池交換回数情報が、送信時の最新の電池交換回数情報と一致する測定結果については、血圧計１０でＲＴＣのカウント値の差分を算出し、算出された差分を血圧情報とともにスマートフォン２０に送信するようにしてもよい。
【０１９８】
本実施形態では、血圧計１０から送信された測定結果に含まれる電池交換回数情報と同じ電池交換回数情報を含む測定結果が、測定結果記録部２６０に蓄積されていない場合には、測定日時を特定することができず、測定日時は「無効」と設定される。このように測定日時が「無効」と設定された測定結果については、実施形態１の例外的なケース２について説明したように、測定日時が「無効」と設定された測定結果を図１４に示すような態様で利用することができる。電池交換回数情報を用いる場合には、一つの電池交換回数の全ての測定結果について測定日時が「無効」と設定される場合に限らず、複数の電池交換回数の全ての測定結果について測定日時が「無効」と設定される場合もあり得る。以下では、電池交換回数２回の全ての測定結果と、電池交換回数３回の全ての測定結果について、測定日時が「無効」と設定されている場合について説明する。全ての測定結果について測定日時が「無効」と設定される電池交換回数が三つ以上ある場合も同様である。
【０１９９】
図３１に、血圧情報として最高血圧の経時変化の表示例を示す。
ここでは、電池交換回数が１回のシーケンス番号ｎ以下及び電池交換回数が４回のシーケンス番号ｍ以上の測定結果についてはそれぞれｔｎ，ｔｍ等の測定日時が特定されているとする。一方、電池交換回数が２回のシーケンス番号ｊ〜ｊ＋２の測定結果については、シーケンス番号ｊ〜ｊ＋１、シーケンス番号ｊ＋１〜ｊ＋２のそれぞれの測定日時の間隔Ｔｊ，Ｔｊ＋１はＲＴＣのカウント値によって特定できている。同様に、電池交換回数が３回のシーケンス番号ｋ〜ｋ＋１の測定結果についても、測定日時の間隔ＴｋはＲＴＣのカウント値によって特定できている。このため、これらのシーケンス番号に対応するデータの時間方向の間隔を、それぞれのＲＴＣのカウント値の間隔に対応させて設定する。そして、測定日時が「無効」と設定されている測定結果の仮のグラフを、測定結果の時系列変化を示すグラフ中に配置する場合には、測定日時が「無効」と設定されている測定結果の前後の有効な測定日時の間を、測定日時が「無効」となっている測定結果の電池交換
回数に対して所定の割合に分割する。そして、測定日時が「無効」と設定されている測定結果の時間方向の中央ｔｃ１，ｔｃ２が、分割された複数の時間間隔のそれぞれの中央値に一致するように、測定日時が「無効」と設定されている測定結果の仮のグラフを配置することができる。図３１では、測定日時が「無効」と設定されている測定結果の前後の有効な測定日時であるｔｍとｔｎとの間を、各電池交換回数の測定結果の点数に応じた割合に分割している。すなわち、電池交換回数２回の測定結果が３点、電池交換回数３回の測定結果が２点であるので、ｔｍ−ｔｎを３：２に分割した時点（ｔｍ−ｔｎ）＊３／５によって、各電池交換回数の測定結果の仮のグラフを配置する領域を分割する。そして、シーケンス番号ｊ〜ｊ＋２の測定結果の仮のグラフの中央ｔｃ１は、ｔｃ１＝｛（ｔｍ−ｔｎ）＊３／５−ｔｎ｝／２に配置され、シーケンス番号ｋ〜ｋ＋１の測定結果の仮のグラフの中央ｔｃ２は、ｔｃ２＝｛ｔｍ−（ｔｍ−ｔｎ）＊３／５｝／２に配置される。
【０２００】
このようにすれば、正確な測定日時を特定できない測定結果についても、測定日時が特定できている他の測定結果との相対的な時系列変化を知ることができ、健康管理に有益な情報を提供することができる。
【０２０１】
測定日時が「無効」と設定されている測定結果の仮のグラフを、測定結果の時系列変化を示すグラフ中に配置する方法は上述のものに限られない。例えば、測定結果が無効となっている測定結果の前後の有効な測定日時であるｔｍとｔｎとの間を、各電池交換回数の測定結果の点数に応じた割合に分割しているが、ｔｍ−ｔｎを、各電池交換回数の測定結果のＲＴＣのカウント値の時間方向の幅に応じて分割してもよい。図３１に示す例では、電池交換回数２回の測定結果のＲＴＣのカウント値の時間方向の幅は、Ｔｊ＋Ｔｊ＋１であり、電池交換回数３回の測定結果のＲＴＣのカウント値の時間方向の幅は、Ｔｋである。従って、ｔｍ−ｔｎを（Ｔｊ＋Ｔｊ＋１）：Ｔｋの割合で分割した時点によって、各電池交換回数の測定結果の仮のグラフを配置する複数の時間間隔に分割する。そして、、測定日時が「無効」となっている測定結果の時間方向の中央ｔｃ１，ｔｃ２が、このように分割された複数の時間間隔のそれぞれの中央値に一致するように、測定日時が「無効」と設定されている測定結果の仮のグラフを配置することができる。
【０２０２】
＜その他＞
上記の各例の説明は、本発明を例示的に説明するものに過ぎず、本発明は上記の具体的な形態には限定されない。本発明は、その技術的思想の範囲内で種々の変形及び組み合わせが可能である。
【０２０３】
例えば測定部は血圧計以外に、体重計、体組成計、脈拍計、体温計などの他の身体情報測定機器であってもよい。また、歩数計や、トレッドミル、エアロバイク（登録商標）などにおける運動量を計測する活動量計であってもよい。この場合には、表示部に表示させる計測対象量は、歩数、走行（歩行）距離などであってもよいし、推定消費熱量などの値であってもよいし、これらの両方を表示するようにしてもよい。また、測定部は、室温、湿度、騒音、照度などの環境情報を測定する環境センサ機器であってもよい。
【０２０４】
また、測定日時算出部を有する装置はスマートフォンにかぎらず、タブレット端末などの他の携帯情報端末であってもよいし、据置型の装置であってもよい。
【符号の説明】
【０２０５】
１・・・健康情報管理システム
１０・・・血圧計
１３０、２１０・・・通信部
１５０、２４０・・・制御部
１７０、２３０・・・記憶部
１８０，２６０・・・測定結果記録部
２０・・・スマートフォン
【図１】
2020165697.tif 000003
【図２】
2020165697.tif 000004
【図３】
2020165697.tif 000005
【図４】
2020165697.tif 000006
【図５】
2020165697.tif 000007
【図６】
2020165697.tif 000008
【図７】
2020165697.tif 000009
【図８】
2020165697.tif 000010
【図９】
2020165697.tif 000011
【図１０】
2020165697.tif 000012
【図１１】
2020165697.tif 000013
【図１２】
2020165697.tif 000014
【図１３】
2020165697.tif 000015
【図１４】
2020165697.tif 000016
【図１５】
2020165697.tif 000017
【図１６】
2020165697.tif 000018
【図１７】
2020165697.tif 000019
【図１８】
2020165697.tif 000020
【図１９】
2020165697.tif 000021
【図２０】
2020165697.tif 000022
【図２１】
2020165697.tif 000023
【図２２】
2020165697.tif 000024
【図２３】
2020165697.tif 000025
【図２４】
2020165697.tif 000026
【図２５】
2020165697.tif 000027
【図２６】
2020165697.tif 000028
【図２７】
2020165697.tif 000029
【図２８】
2020165697.tif 000030
【図２９】
2020165697.tif 000031
【図３０】
2020165697.tif 000032
【図３１】
2020165697.tif 000033